(57)【特許請求の範囲】
【請求項１】
アクセス局がトリガフレーム又はトリガ情報フィールドを携帯する無線フレームを１つ又は複数の非アクセス局に送信して、前記１つ又は複数の非アクセス局がアップリンクマルチユーザ伝送を行うようにトリガするステップと、
前記アクセス局が１つ又は複数の非アクセス局の送信したデータを受信した後に、アクセスカテゴリの競合ウィンドウを初期値にリセットするステップと
を含み、
前記アクセスカテゴリは、前記アクセス局が前記トリガフレーム又は前記トリガ情報フィールドを携帯する無線フレームにおいて指定した前記１つ又は複数の非アクセス局がアップリンクマルチユーザ伝送を行うときに送信するデータのアクセスカテゴリである
競合伝送方法。
【請求項２】
前記アクセス局が、前記データの前記アクセス局に対応するアクセスカテゴリにおけるバッファキュー長パラーメータを調整するステップをさらに含む
請求項１に記載の方法。
【請求項３】
前記データに前記１つ又は複数の非アクセス局の１つ又は複数のアクセスカテゴリのバッファキュー長パラーメータが含まれている場合に、前記アクセス局が前記１つ又は複数のアクセスカテゴリのバッファキュー長パラーメータに応じて前記アクセス局の１つ又は複数のアクセスカテゴリのバッファキュー長パラーメータを調整するステップをさらに含む
請求項１に記載の方法。
【請求項４】
前記トリガフレーム又は前記トリガ情報フィールドを携帯する無線フレームには、前記１つ又は複数の非アクセス局が非競合方法で送信するトラフィックのデータを送信するように指示する指示情報が携帯される
請求項１に記載の方法。
【請求項５】
非アクセス局がアクセス局の送信したトリガフレーム又はトリガ情報フィールドを携帯する無線フレームを受信するステップと、
前記非アクセス局が前記トリガフレーム又は前記トリガ情報フィールドを携帯する無線フレームに応じてデータを前記アクセス局に送信するステップと、
前記非アクセス局が前記アクセス局の応答メッセージを受信した後に、前記データに対応するアクセスカテゴリの競合ウィンドウを初期値にリセットするステップと、
前記非アクセス局が前記データに対応する前記アクセスカテゴリのバックオフタイマーをクリアするステップと
を含み、
前記トリガフレーム又は前記トリガ情報フィールドを携帯する無線フレームには、前記アクセス局が指定した１つ又は複数の非アクセス局がアップリンクマルチユーザ伝送を行うときに送信するデータのアクセスカテゴリが携帯される
競合伝送方法。
【請求項６】
前記トリガフレーム又は前記トリガ情報フィールドを携帯する無線フレームには、前記アクセス局が指示した前記非アクセス局が非競合方法で送信するトラフィックのデータを送信する指示情報が携帯される
請求項５に記載の方法。
【請求項７】
前記非アクセス局が前記トリガフレーム又は前記トリガ情報フィールドを携帯する無線フレームに応じてデータを前記アクセス局に送信するステップは、
前記トリガフレーム又は前記トリガ情報フィールドを携帯する無線フレームにおいてアクセスカテゴリを指定した場合に、前記非アクセス局が指定されたアクセスカテゴリに対応するデータを送信するステップ、又は、
前記トリガフレーム又は前記トリガ情報フィールドを携帯する無線フレームにおいてアクセスカテゴリを指定した場合に、前記非アクセス局が優先度レベルが前記指定されたアクセスカテゴリ以上のアクセスカテゴリに対応するデータを送信するステップ、又は、
前記トリガフレーム又は前記トリガ情報フィールドを携帯する無線フレームにおいてアクセスカテゴリを指定した場合に、前記非アクセス局が任意のアクセスカテゴリに対応するデータを送信し、且つ、少なくとも前記指定されたアクセスカテゴリに対応するデータを含むように確保するステップ、又は、
前記トリガフレーム又は前記トリガ情報フィールドを携帯する無線フレームにおいてアクセスカテゴリを指定したか否かに関わらず、前記非アクセス局が任意のアクセスカテゴリに対応するデータを送信するステップ、又は、
前記トリガフレーム又は前記トリガ情報フィールドを携帯する無線フレームにおいてアクセスカテゴリを指定し、前記非アクセス局の前記指定されたアクセスカテゴリには送信するデータがなく、前記非アクセス局の他のアクセスカテゴリのバッファキューには送信するデータがある場合に、前記非アクセス局が前記他のアクセスカテゴリに対応するデータを送信し、前記非アクセス局の任意のアクセスカテゴリのバッファキューのいずれにも送信するデータがない場合に、前記非アクセス局が非競合方法で送信を行うトラフィックのデータを送信するステップ、又は、
前記トリガフレーム又は前記トリガ情報フィールドを携帯する無線フレームにおいてアクセスカテゴリを指定した場合に、前記非アクセス局がデフォルトで少なくとも非競合方法で送信を行うトラフィックのデータを送信するステップ、又は、
前記トリガフレーム又は前記トリガ情報フィールドを携帯する無線フレームにおいてアクセスカテゴリを指定した場合に、前記非アクセス局がデフォルトで常に非競合方法で送信を行うトラフィックのデータを送信することができるステップ、又は、
前記トリガフレーム又は前記トリガ情報フィールドを携帯する無線フレームにおいてアクセスカテゴリを指定した場合に、前記非アクセス局が指定されたアクセスカテゴリに対応するデータを優先的に送信し、前記指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信するステップを含む
請求項５に記載の方法。
【請求項８】
前記トリガフレーム又は前記トリガ情報フィールドを携帯する無線フレームにおいて非競合方法で送信を行うトラフィックのデータを送信するように指定した場合に、前記非アクセス局が前記非競合方法で送信するトラフィックのデータを送信するステップをさらに含む
請求項５に記載の方法。
【請求項９】
前記非アクセス局が非競合方法で送信を行うトラフィックのデータを送信するステップは、
前記非アクセス局には非競合方法で送信を行うトラフィックのデータがない場合に、前記非アクセス局が任意のアクセスカテゴリのデータを送信するステップを含む
請求項７に記載の方法。
【請求項１０】
前記データには現在の非アクセス局の前記アクセスカテゴリのバッファキュー長が含まれる
請求項５に記載の方法。
【請求項１１】
前記非アクセス局が前記アクセス局に非競合方法で送信するトラフィックのバッファキュー長を報告する
請求項５に記載の方法。
【請求項１２】
前記非アクセス局が所定時間内で前記トリガフレーム又は前記トリガ情報フィールドを携帯する無線フレームを受信していない場合に、前記非アクセス局が任意のアクセスカテゴリが競合して得られた送信機会を利用して、非競合方法で送信するトラフィックのデータを送信するステップをさらに含む
請求項５に記載の方法。
【請求項１３】
アクセス局に用いられる競合伝送装置であって、
トリガフレーム又はトリガ情報フィールドを携帯する無線フレームを１つ又は複数の非アクセス局に送信して、前記１つ又は複数の非アクセス局がアップリンクマルチユーザ伝送を行うようにトリガする送信モジュールと、
前記１つ又は複数の非アクセス局の送信したデータを受信した後に、アクセスカテゴリの競合ウィンドウを初期値にリセットする設定モジュールと
を備え、
前記アクセスカテゴリは、前記アクセス局が前記トリガフレーム又は前記トリガ情報フィールドを携帯する無線フレームにおいて指定した前記１つ又は複数の非アクセス局がアップリンクマルチユーザ伝送を行うときに送信するデータのアクセスカテゴリである
競合伝送装置。
【請求項１４】
前記データの前記アクセス局に対応するアクセスカテゴリにおけるバッファキュー長パラーメータを調整する第１の調整モジュールをさらに備える
請求項１３に記載の装置。
【請求項１５】
前記データに前記１つ又は複数の非アクセス局の１つ又は複数のアクセスカテゴリのバッファキュー長パラーメータが含まれている場合に、前記アクセス局が前記１つ又は複数のアクセスカテゴリのバッファキュー長パラーメータに応じて前記アクセス局の１つ又は複数のアクセスカテゴリのバッファキュー長パラーメータを調整する第２の調整モジュールをさらに備える
請求項１３に記載の装置。
【請求項１６】
前記トリガフレーム又は前記トリガ情報フィールドを携帯する無線フレームには、前記非アクセス局が非競合方法で送信するトラフィックのデータを送信するように指示する指示情報が携帯される
請求項１３に記載の装置。
【請求項１７】
非アクセス局に用いられる競合伝送装置であって、
アクセス局の送信したトリガフレーム又はトリガ情報フィールドを携帯する無線フレームを受信する受信モジュールと、
前記トリガフレーム又は前記トリガ情報フィールドを携帯する無線フレームに応じてデータを前記アクセス局に送信する第１の送信モジュールと、
前記アクセス局の応答メッセージを受信した後に、前記データに対応するアクセスカテゴリの競合ウィンドウを初期値にリセットする設定モジュールと、
前記データに対応する前記アクセスカテゴリのバックオフタイマーをクリアするクリアモジュールと
を備え、
前記トリガフレーム又は前記トリガ情報フィールドを携帯する無線フレームには、前記アクセス局が指定した１つ又は複数の非アクセス局がアップリンクマルチユーザ伝送を行うときに送信するデータのアクセスカテゴリが携帯される
競合伝送装置。
【請求項１８】
前記トリガフレーム又は前記トリガ情報フィールドを携帯する無線フレームには、前記アクセス局が指示した前記非アクセス局が非競合方法で送信するトラフィックのデータを送信する指示情報が携帯される
請求項１７に記載の装置。
【請求項１９】
前記第１の送信モジュールは、
前記トリガフレーム又は前記トリガ情報フィールドを携帯する無線フレームにおいてアクセスカテゴリを指定した場合に、指定されたアクセスカテゴリに対応するデータを送信し、又は、前記トリガフレーム又は前記トリガ情報フィールドを携帯する無線フレームにおいてアクセスカテゴリを指定した場合に、優先度レベルが前記指定されたアクセスカテゴリ以上のアクセスカテゴリに対応するデータを送信し、又は、前記トリガフレーム又は前記トリガ情報フィールドを携帯する無線フレームにおいてアクセスカテゴリを指定した場合に、任意のアクセスカテゴリに対応するデータを送信し、且つ、少なくとも前記指定されたアクセスカテゴリに対応するデータを含むように確保する第１の送信ユニット、又は、
前記トリガフレーム又は前記トリガ情報フィールドを携帯する無線フレームにおいてアクセスカテゴリを指定したか否かに関わらず、任意のアクセスカテゴリに対応するデータを送信する第２の送信ユニット、又は、
前記トリガフレーム又は前記トリガ情報フィールドを携帯する無線フレームにおいてアクセスカテゴリを指定し、前記非アクセス局の前記指定されたアクセスカテゴリには送信するデータがなく、前記非アクセス局の他のアクセスカテゴリのバッファキューには送信するデータがある場合に、前記他のアクセスカテゴリに対応するデータを送信し、前記非アクセス局の任意のアクセスカテゴリのバッファキューのいずれにも送信するデータがない場合に、非競合方法で送信を行うトラフィックのデータを送信し、又は、前記トリガフレーム又は前記トリガ情報フィールドを携帯する無線フレームにおいてアクセスカテゴリを指定した場合に、デフォルトで少なくとも非競合方法で送信を行うトラフィックのデータを送信する第３の送信ユニット、又は、
前記トリガフレーム又は前記トリガ情報フィールドを携帯する無線フレームにおいてアクセスカテゴリを指定した場合に、デフォルトで常に非競合方法で送信を行うトラフィックのデータを送信することができる第４の送信ユニット、又は、
前記トリガフレーム又は前記トリガ情報フィールドを携帯する無線フレームにおいてアクセスカテゴリを指定した場合に、指定されたアクセスカテゴリに対応するデータを優先的に送信し、前記指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信する第５の送信ユニットを備える
請求項１７に記載の装置。
【請求項２０】
前記トリガフレーム又は前記トリガ情報フィールドを携帯する無線フレームにおいて非競合方法で送信を行うトラフィックのデータを送信するように指定した場合に、前記非競合方法で送信するトラフィックのデータを送信する第２の送信モジュールをさらに備える
請求項１７に記載の装置。
【請求項２１】
前記第２の送信モジュールは、さらに、前記非アクセス局には非競合方法で送信を行うトラフィックのデータがない場合に、任意のアクセスカテゴリキューのデータを送信するように構成される
請求項２０に記載の装置。
【請求項２２】
前記データには非アクセス局の１つ又は複数のアクセスカテゴリのバッファキュー長パラーメータが含まれる
請求項１７に記載の装置。
【請求項２３】
前記アクセス局に非競合方法で送信するトラフィックのバッファキュー長を報告する第３の送信モジュールをさらに備える
請求項１７に記載の装置。
【請求項２４】
前記非アクセス局が所定時間内で前記トリガフレーム又は前記トリガ情報フィールドを携帯する無線フレームを受信していない場合に、非競合方法で送信するトラフィックのデータを送信する第４の送信モジュールをさらに備える
請求項１７に記載の装置。
【請求項２５】
プロセッサに実行されることにより、請求項１から請求項１２のいずれか１項に記載の方法を実現するプログラム。
【請求項２６】
請求項２５に記載のプログラムが記録されている記録媒体。
【発明の詳細な説明】
【技術分野】
【０００１】
本発明は、通信分野に関し、具体的には、競合伝送方法及び装置、プログラムならびに記録媒体に関する。
【背景技術】
【０００２】
現在、より多くの人々が無線ローカルエリアネットワーク（Ｗｉｒｅｌｅｓｓ  Ｌｏｃａｌ、単にＷＬＡＮと称する）を利用してデータ通信を行っていることにつれ、ＷＬＡＮネットワークの負荷も不断に増加しており、且つ、ユーザ数の増加に伴い、ＷＬＡＮネットワークの効率が明らかに下がっており、単に速度を向上させるだけでは、この問題を解決できず、マルチユーザパラレル伝送は、ネットワーク効率の問題を解決するための１つの代替技術として、広く注目されて研究されている。従来技術では、マルチユーザパラレル伝送技術は、マルチユーザマルチ入力マルチ出力（ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ、単にＭＵ−ＭＩＭＯと称する）技術（空間領域多元接続）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）技術（周波数領域多元接続）等を含む。
【０００３】
ＷＬＡＮでは、１つのアクセス局（ａｃｃｅｓｓ  ｐｏｉｎｔ、単にＡＰと称する）及びこのＡＰに関連付けられた複数の非アクセス局（ｎｏｎ−ＡＰ  ＳＴＡｔｉｏｎ、単にｎｏｎ−ＡＰ  ＳＴＡと称する）が１つのベーシックサービスセット（ｂａｓｉｃ  ｓｅｒｖｉｃｅ  ｓｅｔ、単にＢＳＳと称する）を図１に示すように構成している。ＷＬＡＮにおけるマルチユーザパラレル伝送は、一般的に、複数のｎｏｎ−ＡＰ  ＳＴＡが同時にＡＰにデータを送信し、これを一般的にアップリンクマルチユーザ（ｕｐｌｉｎｋ  ｍｕｌｔｉ−ｕｓｅｒ、単にＵＬ  ＭＵと称する）伝送と称し、又はＡＰが同時に複数のｎｏｎ−ＡＰ  ＳＴＡにデータを送信し、これをダウンリンクマルチユーザ（ｄｏｗｎｌｉｎｋ  ｍｕｌｔｉ−ｕｓｅｒ、単にＤＬ  ＭＵと称する）伝送と称し、典型的なアップダウンリンクマルチユーザ伝送のフレーム交換シーケンスは、図２に示すようである。
【０００４】
従来手段におけるＵＬ  ＭＵ伝送は、ＡＰによりトリガされる必要があり、例えば、ＡＰがトリガフレームを送信してトリガしてもよく、又は、ＡＰが無線フレームにトリガ情報フィールドを携帯する無線フレームを用いてトリガしてもよい。トリガフレーム又はトリガ情報フィールドを携帯する無線フレームには、ステーションの識別子情報、ステーションがアップリンク伝送を行うために用いられる時間及び周波数リソース情報、ステーションの時間周波数オフセット補正情報、ステーションがアップリンク伝送するデータのパケット長等のようなステーションのスケジューリング情報が携帯される。ＡＰがトリガフレーム又はトリガ情報フィールドを携帯する無線フレームを送信した後に、ステーションがトリガフレーム又はトリガ情報フィールドを携帯する無線フレームを受信し、自分の識別子情報がその中に携帯されている場合に、自分が今度のＵＬ  ＭＵ伝送でスケジューリングされることを示し、自分に送信するデータがある場合には、準備を行って、ＡＰが指示した時間周波数オフセット補正情報に従って同期を行い、割り当てられた時間及び周波数リソースにおいて送信を行う。
【０００５】
従来技術では、サービス品質（Ｑｕａｌｉｔｙ  ｏｆ  Ｓｅｒｖｉｃｅ、単にＱｏＳと称する）を有するＷＬＡＮシステムのデータ送信方法は、競合送信及び非競合送信に分類される。ここで、競合送信メカニズムとは、強化分散チャネルアクセスメカニズム（ｅｎｈａｎｃｅｄ  ｄｉｓｔｒｉｂｕｔｅｄ  ｃｈａｎｎｅｌ  ａｃｃｅｓｓ、単にＥＤＣＡと称する）であり、即ち、トラフィックデータが優先度属性を有し、トラフィックの各データパケットが、いずれもその優先度に従って４つのアクセスカテゴリ（Ａｃｃｅｓｓ  Ｃａｔｅｇｏｒｙ、単にＡＣと称する）キューのうちのあるキューにマッピングされて、キューイングして伝送を待機する。各ＡＣは、いずれも一つのクループの競合パラーメータを有し、競合パラーメータは、フレーム間間隔（ａｒｂｉｔｒａｔｉｏｎ  ｉｎｔｅｒｆｒａｍｅ  ｓｐａｃｅ、単にＡＩＦＳと称する）、チャネル伝送機会を占用する最大期間、競合ウィンドウの最大値（Ｃｏｎｔｅｎｔｉｏｎ  Ｗｉｎｄｏｗ  ｍａｘ、単にＣＷｍａｘと称する）及び最小値ＣＷｍｉｎを含む。異なるＡＣの競合パラーメータの値は異なり、これにより、ＡＣの優先度が具現化される。非競合送信メカニズムとは、混合制御チャネルアクセス（ＨＣＦ  ｃｏｎｔｒｏｌｌｅｄ  ｃｈａｎｎｅｌ  ａｃｃｅｓｓ、単にＨＣＣＡと称する）であり、非競合送信メカニズムを用いて送信したトラフィックのデータパケットは、積極的にチャネルを競合せずに、ステーションがＡＰの送信したポーリングフレームを受信した後に、データパケットをＡＰに送信する。
【０００６】
４つのＡＣが競合送信を行い、具体的には、競合プロセスは下記のとおりである。各ＡＣに対して、ステーションがいずれもＣＷウィンドウの初期値をＣＷｍｉｎに設定し、［０，ＣＷｍｉｎ］においてランダムに１つの整数を選択し、この値を用いてバックオフタイマーＢａｃｋｏｆｆ  ｔｉｍｅｒを設定する。ステーションがチャネルをモニタし、チャネル空きがこのＡＣのフレーム間間隔ＡＩＦＳ期間を満たす場合に、ステーションがランダムバックオフを行い、スロット空きを１つモニタリングする度に、Ｂａｃｋｏｆｆ  ｔｉｍｅｒが１減少され、Ｂａｃｋｏｆｆ  ｔｉｍｅｒが０まで減少された場合に、このＡＣが伝送機会を取得してデータを送信する。伝送に衝突が発生した場合に、ＣＷは、最終的な値がＣＷｍａｘを超えないように指数関数的に増加すべきであり、伝送に成功した場合に、ＣＷ値がＣＷｍｉｎにリセットされる。制御フレーム及び管理フレームはデータフレームではなく、従来技術では、常に制御フレーム及び管理フレームが特定のＡＣを用いて送信するように規定される。
【０００７】
従来技術では、トリガフレームは送信時刻を予め設定する方法、又は、競合方法を用いて送信を行うことができ、例えば、ステーションに自分の各ＡＣのバッファキュー長を報告させ、ＡＰ側でステーション側のＡＣキューのバッファデータ長を取得した後に、アップリンクＡＣキューがＡＰ側でも競合に参加し、アップリンクのあるＡＣが競合に成功した場合に、このＡＣキューのトリガフレームを送信して、ＵＬ  ＭＵ伝送をトリガするようにさせることができる。
【発明の概要】
【発明が解決しようとする課題】
【０００８】
しかし、競合方法でトリガフレームを送信した後に、ステーションがトリガフレームの指示に従ってＵＬ  ＭＵ伝送を行い、ステーション側及びＡＰ側のアップリンクＡＣキュー的ＣＷの値及びＢａｃｋｏｆｆ  ｔｉｍｅｒをどのように処理すべきであるかの問題に対して、従来技術では解決手段を提供していない。
【０００９】
従来技術において競合方法でトリガフレームを送信した後に、ステーション側及びＡＰ側のアップリンクＡＣキューのＣＷの値及びＢａｃｋｏｆｆ  ｔｉｍｅｒをどのように処理すべきであるかの問題に対して、まだ有効な解決手段が提案されていない。
【００１０】
本発明は、少なくとも従来技術において競合方法でトリガフレームを送信した後に、アクセス局側及び非アクセス局側のアップリンクＡＣキューの競合パラーメータをどのように処理すべきであるかの問題を解決するために、競合伝送方法及び装置、プログラムならびに記録媒体を提供する。
【課題を解決するための手段】
【００１１】
本発明の一態様によれば、競合伝送方法が提供され、前記方法は、アクセス局がトリガフレーム又はトリガ情報フィールドを携帯する無線フレームを１つ又は複数の非アクセス局に送信して、前記１つ又は複数の非アクセス局がアップリンクマルチユーザ伝送を行うようにトリガするステップと、前記アクセス局が１つ又は複数の非アクセス局の送信したデータを受信した後に、アクセスカテゴリの競合ウィンドウを初期値にリセットするステップとを含む。
【００１２】
選択的に、前記アクセスカテゴリは、前記アクセス局が前記トリガフレーム又は前記トリガ情報フィールドを携帯する無線フレームにおいて指定した前記１つ又は複数の非アクセス局がアップリンクマルチユーザ伝送を行うときに送信するデータのアクセスカテゴリである。
【００１３】
選択的に、前記方法は、前記アクセス局が前記データを受信した後に、前記アクセス局が前記データに対応するアクセスカテゴリのバッファキュー長パラーメータを調整するステップをさらに含む。
【００１４】
選択的に、前記データに前記１つ又は複数の非アクセス局の１つ又は複数のアクセスカテゴリのバッファキュー長パラーメータが含まれている場合に、前記アクセス局が前記１つ又は複数のアクセスカテゴリのバッファキュー長パラーメータに応じて前記アクセス局の１つ又は複数のアクセスカテゴリのバッファキュー長パラーメータを調整するステップをさらに含む。
【００１５】
選択的に、前記トリガフレーム又は前記トリガ情報フィールドを携帯する無線フレームには、前記１つ又は複数の非アクセス局が非競合方法で送信するトラフィックのデータを送信するように指示する指示情報が携帯される。
【００１６】
本発明の一態様によれば、別の競合伝送方法が提供され、前記方法は、アクセス局がトリガフレーム又はトリガ情報フィールドを携帯する無線フレームを１つ又は複数の非アクセス局に送信して、前記１つ又は複数の非アクセス局がアップリンクマルチユーザ伝送を行うようにトリガするステップを含み、前記アクセス局は前記トリガフレーム又は前記トリガ情報フィールドを携帯する無線フレームにおいて前記１つ又は複数の非アクセス局がアップリンクマルチユーザ伝送を行うときに送信するデータのアクセスカテゴリを指定し、又は、前記アクセス局は前記トリガフレーム又は前記トリガ情報フィールドを携帯する無線フレームには、前記非アクセス局が非競合方法で送信するトラフィックのデータを送信するように指示する指示情報を携帯する。
【００１７】
選択的に、前記方法は、前記アクセス局が１つ又は複数の非アクセス局の送信したデータを受信した後に、アクセスカテゴリの競合ウィンドウを初期値にリセットするステップをさらに含む。
【００１８】
選択的に、前記方法は、前記アクセス局が前記データを受信した後に、前記アクセス局が前記データに対応するアクセスカテゴリのバッファキュー長パラーメータを調整するステップをさらに含む。
【００１９】
選択的に、前記データに前記１つ又は複数の非アクセス局の１つ又は複数のアクセスカテゴリのバッファキュー長パラーメータが含まれている場合に、前記アクセス局が前記１つ又は複数のアクセスカテゴリのバッファキュー長パラーメータに応じて前記アクセス局の１つ又は複数のアクセスカテゴリのバッファキュー長パラーメータを調整する。
【００２０】
本発明の別の態様によれば、別の競合伝送方法がさらに提供され、前記方法は、非アクセス局がアクセス局の送信したトリガフレーム又はトリガ情報フィールドを携帯する無線フレームを受信するステップと、前記非アクセス局が前記トリガフレーム又は前記トリガ情報フィールドを携帯する無線フレームに応じてデータを前記アクセス局に送信するステップと、前記非アクセス局が前記アクセス局の応答メッセージを受信した後に、前記データに対応するアクセスカテゴリの競合ウィンドウを初期値にリセットするステップと、前記非アクセス局が前記データに対応する前記アクセスカテゴリのバックオフタイマーをクリアするステップとを含む。
【００２１】
選択的に、前記トリガフレーム又は前記トリガ情報フィールドを携帯する無線フレームには、前記アクセス局が指定した１つ又は複数の非アクセス局がアップリンクマルチユーザ伝送を行うときに送信するデータのアクセスカテゴリが携帯され、又は、前記トリガフレーム又は前記トリガ情報フィールドを携帯する無線フレームには、前記アクセス局が指示した前記非アクセス局が非競合方法で送信するトラフィックのデータを送信する指示情報が携帯される。
【００２２】
選択的に、前記非アクセス局が前記トリガフレーム又は前記トリガ情報フィールドを携帯する無線フレームに応じてデータを前記アクセス局に送信するステップは、前記トリガフレーム又は前記トリガ情報フィールドを携帯する無線フレームにおいてアクセスカテゴリを指定した場合に、前記非アクセス局が指定されたアクセスカテゴリに対応するデータを送信するステップ、又は、前記トリガフレーム又は前記トリガ情報フィールドを携帯する無線フレームにおいてアクセスカテゴリを指定した場合に、前記非アクセス局が優先度レベルが前記指定されたアクセスカテゴリ以上のアクセスカテゴリに対応するデータを送信するステップ、又は、前記トリガフレーム又は前記トリガ情報フィールドを携帯する無線フレームにおいてアクセスカテゴリを指定した場合に、前記非アクセス局が任意のアクセスカテゴリに対応するデータを送信し、且つ、少なくとも前記指定されたアクセスカテゴリに対応するデータを含むように確保するステップ、又は、前記トリガフレーム又は前記トリガ情報フィールドを携帯する無線フレームにおいてアクセスカテゴリを指定したか否かに関わらず、前記非アクセス局が任意のアクセスカテゴリに対応するデータを送信するステップ、又は、前記トリガフレーム又は前記トリガ情報フィールドを携帯する無線フレームにおいてアクセスカテゴリを指定し、前記非アクセス局の前記指定されたアクセスカテゴリには送信するデータがなく、前記非アクセス局の他のアクセスカテゴリのバッファキューには送信するデータがある場合に、前記非アクセス局が前記他のアクセスカテゴリに対応するデータを送信し、前記非アクセス局の任意のアクセスカテゴリのバッファキューのいずれにも送信するデータがない場合に、前記非アクセス局が非競合方法で送信を行うトラフィックのデータを送信するステップ、又は、前記トリガフレーム又は前記トリガ情報フィールドを携帯する無線フレームにおいてアクセスカテゴリを指定した場合に、前記非アクセス局がデフォルトで少なくとも非競合方法で送信を行うトラフィックのデータを送信するステップ、又は、前記トリガフレーム又は前記トリガ情報フィールドを携帯する無線フレームにおいてアクセスカテゴリを指定した場合に、前記非アクセス局がデフォルトで常に非競合方法で送信を行うトラフィックのデータを送信することができるステップ、又は、前記トリガフレーム又は前記トリガ情報フィールドを携帯する無線フレームにおいてアクセスカテゴリを指定した場合に、前記非アクセス局が指定されたアクセスカテゴリに対応するデータを優先的に送信し、前記指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信するステップを含む。
【００２３】
選択的に、前記方法は、前記トリガフレーム又は前記トリガ情報フィールドを携帯する無線フレームにおいて非競合方法で送信を行うトラフィックのデータを送信するように指定した場合に、前記非アクセス局が前記非競合方法で送信するトラフィックのデータを送信するステップをさらに含む。
【００２４】
選択的に、前記非アクセス局が非競合方法で送信を行うトラフィックのデータを送信するステップは、前記非アクセス局には非競合方法で送信を行うトラフィックのデータがない場合に、前記非アクセス局が任意のアクセスカテゴリのデータを送信するステップを含む。
【００２５】
選択的に、前記データには前記非アクセス局の１つ又は複数のアクセスカテゴリのバッファキュー長パラーメータが含まれる。
【００２６】
選択的に、前記非アクセス局が前記アクセス局に非競合方法で送信するトラフィックのバッファキュー長を報告する。
【００２７】
選択的に、前記方法は、前記非アクセス局が所定時間内で前記トリガフレーム又は前記トリガ情報フィールドを携帯する無線フレームを受信していない場合に、前記非アクセス局が任意のアクセスカテゴリが競合して得られた送信機会を利用して、非競合方法で送信するトラフィックのデータを送信するステップをさらに含む。
【００２８】
本発明の別の態様によれば、さらに別の競合伝送方法がさらに提供され、前記方法は、非アクセス局がアクセス局の送信したトリガフレーム又はトリガ情報フィールドを携帯する無線フレームを受信するステップと、前記非アクセス局が前記トリガフレーム又は前記トリガ情報フィールドを携帯する無線フレームに応じてデータを前記アクセス局に送信するステップとを含み、前記トリガフレーム又は前記トリガ情報フィールドを携帯する無線フレームには、前記アクセス局が指定した１つ又は複数の非アクセス局がアップリンクマルチユーザ伝送を行うときに送信するデータのアクセスカテゴリが携帯され、又は、前記トリガフレーム又は前記トリガ情報フィールドを携帯する無線フレームには、前記アクセス局が指示した前記非アクセス局が非競合方法で送信するトラフィックのデータを送信する指示情報が携帯される。
【００２９】
選択的に、前記方法は、前記非アクセス局が前記アクセス局の応答メッセージを受信した後に、前記データに対応するアクセスカテゴリの競合ウィンドウを初期値にリセットするステップと、前記非アクセス局が前記データに対応する前記アクセスカテゴリのバックオフタイマーをクリアするステップとをさらに含む。
【００３０】
選択的に、前記非アクセス局が前記トリガフレーム又は前記トリガ情報フィールドを携帯する無線フレームに応じてデータを前記アクセス局に送信するステップは、前記トリガフレーム又は前記トリガ情報フィールドを携帯する無線フレームにおいてアクセスカテゴリを指定した場合に、前記非アクセス局が指定されたアクセスカテゴリに対応するデータを送信するステップ、又は、前記トリガフレーム又は前記トリガ情報フィールドを携帯する無線フレームにおいてアクセスカテゴリを指定した場合に、前記非アクセス局が優先度レベルが前記指定されたアクセスカテゴリ以上のアクセスカテゴリに対応するデータを送信するステップ、又は、前記トリガフレーム又は前記トリガ情報フィールドを携帯する無線フレームにおいてアクセスカテゴリを指定した場合に、前記非アクセス局が任意のアクセスカテゴリに対応するデータを送信し、且つ、少なくとも前記指定されたアクセスカテゴリに対応するデータを含むように確保するステップ、又は、前記トリガフレーム又は前記トリガ情報フィールドを携帯する無線フレームにおいてアクセスカテゴリを指定したか否かに関わらず、前記非アクセス局が任意のアクセスカテゴリに対応するデータを送信するステップ、又は、前記トリガフレーム又は前記トリガ情報フィールドを携帯する無線フレームにおいてアクセスカテゴリを指定し、前記非アクセス局の前記指定されたアクセスカテゴリには送信するデータがなく、前記非アクセス局の他のアクセスカテゴリのバッファキューには送信するデータがある場合に、前記非アクセス局が前記他のアクセスカテゴリに対応するデータを送信し、前記非アクセス局の任意のアクセスカテゴリのバッファキューのいずれにも送信するデータがない場合に、前記非アクセス局が非競合方法で送信を行うトラフィックのデータを送信するステップ、又は、前記トリガフレーム又は前記トリガ情報フィールドを携帯する無線フレームにおいてアクセスカテゴリを指定した場合に、前記非アクセス局がデフォルトで少なくとも非競合方法で送信を行うトラフィックのデータを送信するステップ、又は、前記トリガフレーム又は前記トリガ情報フィールドを携帯する無線フレームにおいてアクセスカテゴリを指定した場合に、前記非アクセス局がデフォルトで常に非競合方法で送信を行うトラフィックのデータを送信することができるステップ、又は、前記トリガフレーム又は前記トリガ情報フィールドを携帯する無線フレームにおいてアクセスカテゴリを指定した場合に、前記非アクセス局が指定されたアクセスカテゴリに対応するデータを優先的に送信し、ここで、前記指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信するステップを含む。
【００３１】
選択的に、前記方法は、前記トリガフレーム又は前記トリガ情報フィールドを携帯する無線フレームにおいて非競合方法で送信を行うトラフィックのデータを送信するように指定した場合に、前記非アクセス局が前記非競合方法で送信するトラフィックのデータを送信するステップをさらに含む。
【００３２】
選択的に、前記非アクセス局が非競合方法で送信するトラフィックのデータを送信するステップは、前記非アクセス局には非競合方法で送信を行うトラフィックのデータがない場合に、前記非アクセス局が任意のアクセスカテゴリのデータを送信するステップを含む。
【００３３】
選択的に、前記データには前記非アクセス局の１つ又は複数のアクセスカテゴリのバッファキュー長パラーメータが含まれる。
【００３４】
選択的に、前記非アクセス局が前記アクセス局に非競合方法で送信するトラフィックのバッファキュー長を報告する。
【００３５】
選択的に、前記方法は、前記非アクセス局が所定時間内で前記トリガフレーム又は前記トリガ情報フィールドを携帯する無線フレームを受信していない場合に、前記非アクセス局が任意のアクセスカテゴリが競合して得られた送信機会を利用して、非競合方法で送信するトラフィックのデータを送信するステップをさらに含む。
【００３６】
本発明の一態様によれば、アクセス局に用いられる競合伝送装置がさらに提供され、前記装置は、トリガフレーム又はトリガ情報フィールドを携帯する無線フレームを１つ又は複数の非アクセス局に送信して、前記１つ又は複数の非アクセス局がアップリンクマルチユーザ伝送を行うようにトリガする送信モジュールと、前記１つ又は複数の非アクセス局の送信したデータを受信した後に、アクセスカテゴリの競合ウィンドウを初期値にリセットする設定モジュールとを備える。
【００３７】
選択的に、前記アクセスカテゴリは、前記アクセス局が前記トリガフレーム又は前記トリガ情報フィールドを携帯する無線フレームにおいて指定した前記１つ又は複数の非アクセス局がアップリンクマルチユーザ伝送を行うときに送信するデータのアクセスカテゴリである。
【００３８】
選択的に、前記装置は、前記データに対応するアクセスカテゴリのバッファキュー長パラーメータを調整する第１の調整モジュールをさらに備える。
【００３９】
選択的に、前記装置は、前記データに前記１つ又は複数の非アクセス局の１つ又は複数のアクセスカテゴリのバッファキュー長パラーメータが含まれている場合に、前記アクセス局が前記１つ又は複数のアクセスカテゴリのバッファキュー長パラーメータに応じて前記アクセス局の１つ又は複数のアクセスカテゴリのバッファキュー長パラーメータを調整する第２の調整モジュールをさらに備える。
【００４０】
選択的に、前記トリガフレーム又は前記トリガ情報フィールドを携帯する無線フレームには、前記非アクセス局が非競合方法で送信するトラフィックのデータを送信するように指示する指示情報が携帯される。
【００４１】
本発明の一態様によれば、アクセス局に用いられる別の競合伝送装置がさらに提供され、前記装置は、トリガフレーム又はトリガ情報フィールドを携帯する無線フレームを１つ又は複数の非アクセス局に送信して、前記１つ又は複数の非アクセス局がアップリンクマルチユーザ伝送を行うようにトリガする送信モジュールを備え、前記トリガフレーム又は前記トリガ情報フィールドを携帯する無線フレームにおいて前記１つ又は複数の非アクセス局がアップリンクマルチユーザ伝送を行うときに送信するデータのアクセスカテゴリを指定し、又は、前記トリガフレーム又は前記トリガ情報フィールドを携帯する無線フレームに前記非アクセス局が非競合方法で送信するトラフィックのデータを送信するように指示する指示情報を携帯する。
【００４２】
選択的に、前記装置は、前記１つ又は複数の非アクセス局の送信したデータを受信した後に、アクセスカテゴリの競合ウィンドウを初期値にリセットする設定モジュールをさらに備える。
【００４３】
選択的に、前記装置は、前記データに対応するアクセスカテゴリのバッファキュー長パラーメータを調整する第１の調整モジュールをさらに備える。
【００４４】
選択的に、前記装置は、前記データに前記１つ又は複数の非アクセス局の１つ又は複数のアクセスカテゴリのバッファキュー長パラーメータが含まれている場合に、前記１つ又は複数のアクセスカテゴリのバッファキュー長パラーメータに応じて前記アクセス局側の１つ又は複数のアクセスカテゴリのバッファキュー長パラーメータを調整する第２の調整モジュールをさらに備える。
【００４５】
本発明の別の態様によれば、非アクセス局に用いられる別の競合伝送装置がさらに提供され、前記装置は、アクセス局の送信したトリガフレーム又はトリガ情報フィールドを携帯する無線フレームを受信する受信モジュールと、前記トリガフレーム又は前記トリガ情報フィールドを携帯する無線フレームに応じてデータを前記アクセス局に送信する第１の送信モジュールと、前記アクセス局の応答メッセージを受信した後に、前記データに対応するアクセスカテゴリの競合ウィンドウを初期値にリセットする設定モジュールと、前記データに対応する前記アクセスカテゴリのバックオフタイマーをクリアするクリアモジュールとを備える。
【００４６】
選択的に、前記トリガフレーム又は前記トリガ情報フィールドを携帯する無線フレームには、前記アクセス局が指定した１つ又は複数の非アクセス局がアップリンクマルチユーザ伝送を行うときに送信するデータのアクセスカテゴリが携帯され、又は、前記トリガフレーム又は前記トリガ情報フィールドを携帯する無線フレームには、前記アクセス局が指示した前記非アクセス局が非競合方法で送信するトラフィックのデータを送信する指示情報が携帯される。
【００４７】
選択的に、前記第１の送信モジュールは、前記トリガフレーム又は前記トリガ情報フィールドを携帯する無線フレームにおいてアクセスカテゴリを指定した場合に、指定されたアクセスカテゴリに対応するデータを送信し、又は、前記トリガフレーム又は前記トリガ情報フィールドを携帯する無線フレームにおいてアクセスカテゴリを指定した場合に、優先度レベルが前記指定されたアクセスカテゴリ以上のアクセスカテゴリに対応するデータを送信し、又は、前記トリガフレーム又は前記トリガ情報フィールドを携帯する無線フレームにおいてアクセスカテゴリを指定した場合に、任意のアクセスカテゴリに対応するデータを送信し、且つ、少なくとも前記指定されたアクセスカテゴリに対応するデータを含むように確保する第１の送信ユニット、又は、前記トリガフレーム又は前記トリガ情報フィールドを携帯する無線フレームにおいてアクセスカテゴリを指定したか否かに関わらず、任意のアクセスカテゴリに対応するデータを送信する第２の送信ユニット、又は、前記トリガフレーム又は前記トリガ情報フィールドを携帯する無線フレームにおいてアクセスカテゴリを指定し、前記非アクセス局の前記指定されたアクセスカテゴリには送信するデータがなく、前記非アクセス局の他のアクセスカテゴリのバッファキューには送信するデータがある場合に、前記他のアクセスカテゴリに対応するデータを送信し、前記非アクセス局の任意のアクセスカテゴリのバッファキューのいずれにも送信するデータがない場合に、非競合方法で送信を行うトラフィックのデータを送信し、又は、前記トリガフレーム又は前記トリガ情報フィールドを携帯する無線フレームにおいてアクセスカテゴリを指定した場合に、デフォルトで少なくとも非競合方法で送信を行うトラフィックのデータを送信する第３の送信ユニット、又は、前記トリガフレーム又は前記トリガ情報フィールドを携帯する無線フレームにおいてアクセスカテゴリを指定した場合に、デフォルトで常に非競合方法で送信を行うトラフィックのデータを送信することができる第４の送信ユニット、又は、前記トリガフレーム又は前記トリガ情報フィールドを携帯する無線フレームにおいてアクセスカテゴリを指定した場合に、指定されたアクセスカテゴリに対応するデータを優先的に送信し、前記指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信する第５の送信ユニットを備える。
【００４８】
選択的に、前記装置は、前記トリガフレーム又は前記トリガ情報フィールドを携帯する無線フレームにおいて非競合方法で送信を行うトラフィックのデータを送信するように指定した場合に、前記非競合方法で送信するトラフィックのデータを送信する第２の送信モジュールをさらに備える。
【００４９】
選択的に、前記第２の送信モジュールは、さらに、前記非アクセス局には非競合方法で送信を行うトラフィックのデータがない場合に、任意のアクセスカテゴリキューのデータを送信するように構成される。
【００５０】
選択的に、前記データには非アクセス局の１つ又は複数のアクセスカテゴリのバッファキュー長パラーメータが含まれる。
【００５１】
選択的に、前記装置は、前記アクセス局に前記非競合方法で送信するトラフィックのバッファキュー長を報告する第３の送信モジュールをさらに備える。
【００５２】
選択的に、前記装置は、前記非アクセス局が所定時間内で前記トリガフレーム又は前記トリガ情報フィールドを携帯する無線フレームを受信していない場合に、任意のアクセスカテゴリが競合して得られた送信機会を利用して、非競合方法で送信するトラフィックのデータを送信する第４の送信モジュールをさらに備える。
【００５３】
本発明の別の態様によれば、非アクセス局に用いられるさらに別の競合伝送装置がさらに提供され、前記装置は、アクセス局の送信したトリガフレーム又はトリガ情報フィールドを携帯する無線フレームを受信する受信モジュールと、前記トリガフレーム又は前記トリガ情報フィールドを携帯する無線フレームに応じてデータを前記アクセス局に送信する第１の送信モジュールとを備え、前記トリガフレーム又は前記トリガ情報フィールドを携帯する無線フレームには、前記アクセス局が指定した１つ又は複数の非アクセス局がアップリンクマルチユーザ伝送を行うときに送信するデータのアクセスカテゴリが携帯され、又は、前記トリガフレーム又は前記トリガ情報フィールドを携帯する無線フレームには、前記アクセス局が指示した前記非アクセス局が非競合方法で送信するトラフィックのデータを送信する指示情報が携帯される。
【００５４】
選択的に、上記の装置は、前記アクセス局の応答メッセージを受信した後に、前記データに対応するアクセスカテゴリの競合ウィンドウを初期値にリセットする設定モジュールと、前記データに対応する前記アクセスカテゴリのバックオフタイマーをクリアするクリアモジュールとをさらに備える。
【００５５】
選択的に、前記第１の送信モジュールは、前記トリガフレーム又は前記トリガ情報フィールドを携帯する無線フレームにおいてアクセスカテゴリを指定した場合に、指定されたアクセスカテゴリに対応するデータを送信し、又は、前記トリガフレーム又は前記トリガ情報フィールドを携帯する無線フレームにおいてアクセスカテゴリを指定した場合に、優先度レベルが前記指定されたアクセスカテゴリ以上のアクセスカテゴリに対応するデータを送信し、又は、前記トリガフレーム又は前記トリガ情報フィールドを携帯する無線フレームにおいてアクセスカテゴリを指定した場合に、任意のアクセスカテゴリに対応するデータを送信し、且つ、少なくとも前記指定されたアクセスカテゴリに対応するデータを含むように確保する第１の送信ユニット、又は、前記トリガフレーム又は前記トリガ情報フィールドを携帯する無線フレームにおいてアクセスカテゴリを指定したか否かに関わらず、任意のアクセスカテゴリに対応するデータを送信する第２の送信ユニット、又は、前記トリガフレーム又は前記トリガ情報フィールドを携帯する無線フレームにおいてアクセスカテゴリを指定し、前記非アクセス局の前記指定されたアクセスカテゴリには送信するデータがなく、前記非アクセス局の他のアクセスカテゴリのバッファキューには送信するデータがある場合に、前記他のアクセスカテゴリに対応するデータを送信し、前記非アクセス局の任意のアクセスカテゴリのバッファキューのいずれにも送信するデータがない場合に、非競合方法で送信を行うトラフィックのデータを送信し、又は、前記トリガフレーム又は前記トリガ情報フィールドを携帯する無線フレームにおいてアクセスカテゴリを指定した場合に、デフォルトで少なくとも非競合方法で送信を行うトラフィックのデータを送信する第３の送信ユニット、又は、前記トリガフレーム又は前記トリガ情報フィールドを携帯する無線フレームにおいてアクセスカテゴリを指定した場合に、デフォルトで常に非競合方法で送信を行うトラフィックのデータを送信することができる第４の送信ユニット、又は、前記トリガフレーム又は前記トリガ情報フィールドを携帯する無線フレームにおいてアクセスカテゴリを指定した場合に、指定されたアクセスカテゴリに対応するデータを優先的に送信し、前記指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信する第５の送信ユニットを備える。
【００５６】
選択的に、前記装置は、前記トリガフレーム又は前記トリガ情報フィールドを携帯する無線フレームにおいて非競合方法で送信を行うトラフィックのデータを送信するように指定した場合に、前記非競合方法で送信するトラフィックのデータを送信する第２の送信モジュールをさらに備える。
【００５７】
選択的に、前記第２の送信モジュールは、さらに、前記非アクセス局には非競合方法で送信を行うトラフィックのデータがない場合に、任意のアクセスカテゴリキューのデータを送信するように構成される。
【００５８】
選択的に、前記データには非アクセス局の１つ又は複数のアクセスカテゴリのバッファキュー長パラーメータが含まれる。
【００５９】
選択的に、前記装置は、前記アクセス局に前記非競合方法で送信するトラフィックのバッファキュー長を報告する第３の送信モジュールをさらに備える。
【００６０】
選択的に、前記装置は、前記非アクセス局が所定時間内で前記トリガフレーム又は前記トリガ情報フィールドを携帯する無線フレームを受信していない場合に、任意のアクセスカテゴリが競合して得られた送信機会を利用して、非競合方法で送信するトラフィックのデータを送信する第４の送信モジュールをさらに備える。
【００６１】
本発明の別の態様によれば、プログラムが提供され、前記プログラムは、プロセッサに実行されることにより、上記の競合伝送方法を実現する。
【００６２】
本発明の別の態様によれば、記録媒体が提供され、前記記録媒体には、上記のプログラムが記録されている。
【００６３】
本発明の別の態様によれば、上記の実施例の方法を実行するための実行命令が記憶されるコンピューター記録媒体を提供する。
【発明の効果】
【００６４】
本発明によれば、アクセス局が非アクセス局の送信したデータを受信した後に、アクセスカテゴリの競合ウィンドウを初期値にリセットし、アクセス局がアクセスカテゴリのバックオフタイマーをクリアすることによって、従来技術において競合方法でトリガフレームを送信した後に、アクセス局及び非アクセス局の競合パラーメータをどのように処理すべきであるかの問題を解決し、アクセス局側及び非アクセス局側のステーションの同一のキューの競合パラーメータが同期を保持するように確保するとともに、チャネルのビジー／フリー状態を示す。
【図面の簡単な説明】
【００６５】
ここの図面は、本発明に対する更なる理解を提供して、本発明の一部を構成し、本発明の例示的な実施例及びその説明は、本発明を解釈するだけで、本発明を限定するものではない。
【図１】ＷＬＡＮベーシックサービスセットＢＳＳの例を示す図である。
【図２】ＡＰがＵＬ  ＭＵ伝送をトリガするフレーム交換プロセスの例を示す図である。
【図３】本発明の実施例に係る競合伝送方法のフローチャートである。
【図４】本発明の実施例に係る競合伝送装置の構成を示すブロック図である。
【図５】本発明の実施例に係る競合伝送装置の構成を示すブロック図の一である。
【図６】本発明の実施例に係る競合伝送装置の構成を示すブロック図の二である。
【図７】本発明の実施例に係る競合伝送方法のフローチャートの一である。
【図８】本発明の実施例に係る競合伝送装置の構成を示すブロック図の三である。
【図９】本発明の実施例に係る競合伝送装置の構成を示すブロック図の四である。
【図１０】本発明の実施例に係る競合伝送装置の構成を示すブロック図の五である。
【図１１】本発明の実施例に係る競合伝送装置の構成を示すブロック図の六である。
【図１２】本発明の実施例に係る競合伝送装置の構成を示すブロック図の七である。
【図１３】本発明の実施例に係るＡＰがステーションのためにアップリンクＡＣキューを確立する例を示す図の一である。
【図１４】本発明の実施例に係るＡＰがステーションのためにアップリンクＡＣキューを確立する例を示す図の二である。
【発明を実施するための形態】
【００６６】
以下、図面を参照しながら実施例を併せて本発明を詳細に説明する。なお、矛盾しない前提で、本発明の実施例及び実施例における特徴を互いに組み合わせてもよい。
【００６７】
本実施例によれば、競合伝送方法が提供され、図３は、本発明の実施例に係る競合伝送方法のフローチャートであり、図３に示すように、フローは下記のステップを含む。
ステップＳ３０２：トリガフレーム又はトリガ情報フィールドを携帯する無線フレームを１つ又は複数の非アクセス局に送信して、１つ又は複数の非アクセス局がアップリンクマルチユーザ伝送を行うようにトリガする。
ステップＳ３０４：アクセス局が１つ又は複数の非アクセス局の送信したデータを受信した後に、アクセスカテゴリの競合ウィンドウを初期値にリセットする。
【００６８】
上記のステップによれば、アクセス局が非アクセス局の送信したデータを受信した後に、アクセスカテゴリの競合ウィンドウを初期値にリセットすることによって、従来技術において競合方法でトリガフレームを送信した後に、アクセス局側及び非アクセス局側の競合パラーメータをどのように処理すべきであるかの問題を解決し、アクセス局側及び非アクセス局側のステーションの同一のキューの競合パラーメータが同期を保持するように確保するとともに、チャネルのビジー／フリー状態を示す。
【００６９】
選択可能な一実施例では、アクセス局が非アクセス局の送信したこのデータを受信する前に、非アクセス局がトリガフレーム又はトリガ情報フィールドを携帯する無線フレームに応じてアクセス局にデータを送信するように、アクセス局がトリガフレーム又はトリガ情報フィールドを携帯する無線フレームを１つ又は複数の非アクセス局に送信する。ここで、トリガフレーム又はトリガ情報フィールドを携帯する無線フレームには、１つ又は複数の非アクセス局のスケジューリング情報が携帯され、トリガフレーム及びトリガ情報フィールドを携帯する無線フレームはいずれも１つ又は複数の非アクセス局がアップリンクマルチユーザ伝送を行うようにトリガするために使用される。
【００７０】
選択可能な一実施例では、上記のアクセスカテゴリは、アクセス局がトリガフレーム又はトリガ情報フィールドを携帯する無線フレームにおいて指定した１つ又は複数の非アクセス局がアップリンクマルチユーザ伝送を行うときに送信するデータのアクセスカテゴリである。
【００７１】
選択可能な一実施例では、アクセス局がデータを受信した後に、データに対応するアクセスカテゴリのバッファキュー長パラーメータを調整する。
【００７２】
別の選択可能な一実施例では、上記のデータに非アクセス局の１つ又は複数のアクセスカテゴリのバッファキュー長パラーメータが含まれている場合に、アクセス局が１つ又は複数のアクセスカテゴリのバッファキュー長パラーメータに応じてアクセス局側の１つ又は複数のアクセスカテゴリのバッファキュー長パラーメータを調整する。
【００７３】
選択的に、トリガフレーム又はトリガ情報フィールドを携帯する無線フレームには、非アクセス局が非競合方法で送信するトラフィックのデータを送信するように指示する指示情報が携帯される。
【００７４】
本発明の実施例によれば、別の競合伝送方法が提供され、前記方法は、トリガフレーム又はトリガ情報フィールドを携帯する無線フレームを１つ又は複数の非アクセス局に送信して、１つ又は複数の非アクセス局がアップリンクマルチユーザ伝送を行うようにトリガするステップを含む。ここで、上記のアクセス局はトリガフレーム又はトリガ情報フィールドを携帯する無線フレームにおいて１つ又は複数の非アクセス局がアップリンクマルチユーザ伝送を行うときに送信するデータのアクセスカテゴリを指定し、又は、アクセス局はトリガフレーム又はトリガ情報フィールドを携帯する無線フレームには、非アクセス局が非競合方法で送信するトラフィックのデータを送信するように指示する指示情報を携帯する。
【００７５】
選択的に、上記の別の競合伝送方法は、アクセス局が１つ又は複数の非アクセス局の送信したデータを受信した後に、アクセスカテゴリの競合ウィンドウを初期値にリセットするステップをさらに含む。
【００７６】
選択的に、上記の別の競合伝送方法は、アクセス局が上記のデータを受信した後に、アクセス局がデータに対応するアクセスカテゴリのバッファキュー長パラーメータを調整するステップをさらに含む。
【００７７】
選択的に、上記の別の競合伝送方法では、上記のデータに１つ又は複数の非アクセス局の１つ又は複数のアクセスカテゴリのバッファキュー長パラーメータが含まれている場合に、上記のアクセス局が１つ又は複数のアクセスカテゴリのバッファキュー長パラーメータに応じてアクセス局の１つ又は複数のアクセスカテゴリのバッファキュー長パラーメータを調整する。
【００７８】
本実施例によれば、競合伝送装置がさらに提供され、この装置は、上記の実施例及び好ましい実施形態を実現するためのもので、既に説明されている部分については詳細な説明を省略する。以下に使用された用語「モジュール」は、予め設定した機能のソフトウェア及び／又はハードウェアの組み合わせを実現できる。以下の実施例に説明する装置は、ソフトウェアで実現されることが好ましいが、ハードウェア、又は、ソフトウェア及びハードウェアの組み合わせで実現することも構想されるものである。図４は、本発明の実施例に係るアクセス局に用いられる競合伝送装置の構成を示すブロック図であり、図４に示すように、前記装置は、トリガフレーム又はトリガ情報フィールドを携帯する無線フレームを１つ又は複数の非アクセス局に送信して、１つ又は複数の非アクセス局がアップリンクマルチユーザ伝送を行うようにトリガする送信モジュール４２と、１つ又は複数の非アクセス局の送信したデータを受信した後に、アクセスカテゴリの競合ウィンドウを初期値にリセットする設定モジュール４４とを備える。
【００７９】
選択的に、アクセスカテゴリは、このアクセス局がこのトリガフレーム又はこのトリガ情報フィールドを携帯する無線フレームにおいて指定した１つ又は複数の非アクセス局がアップリンクマルチユーザ伝送を行うときに送信するデータのアクセスカテゴリである。
【００８０】
図５は、本発明の実施例に係る競合伝送装置の構成を示すブロック図の一であり、図５に示すように、前記装置は、このデータに対応するアクセスカテゴリのバッファキュー長パラーメータを調整する第１の調整モジュール５２をさらに備える。
【００８１】
図６は、本発明の実施例に係る競合伝送装置の構成を示すブロック図の二であり、前記装置は、上記のデータに非アクセス局の１つ又は複数のアクセスカテゴリのバッファキュー長パラーメータが含まれている場合に、アクセス局が前記１つ又は複数のアクセスカテゴリのバッファキュー長パラーメータに応じてアクセス局側の１つ又は複数のアクセスカテゴリのバッファキュー長パラーメータを調整する第２の調整モジュール６２をさらに備える。
【００８２】
選択的に、トリガフレーム又はトリガ情報フィールドを携帯する無線フレームには、非アクセス局が非競合方法で送信するトラフィックのデータを送信するように指示する指示情報が携帯される。
【００８３】
本発明の実施例によれば、アクセス局に用いられる別の競合伝送装置がさらに提供され、前記装置は、トリガフレーム又はトリガ情報フィールドを携帯する無線フレームを１つ又は複数の非アクセス局に送信して、１つ又は複数の非アクセス局がアップリンクマルチユーザ伝送を行うようにトリガする上記のような送信モジュールを備える。ここで、このアクセス局はトリガフレーム又はトリガ情報フィールドを携帯する無線フレームにおいて１つ又は複数の非アクセス局がアップリンクマルチユーザ伝送を行うときに送信するデータのアクセスカテゴリを指定し、又は、アクセス局はトリガフレーム又は前記トリガ情報フィールドを携帯する無線フレームに非アクセス局が非競合方法で送信するトラフィックのデータを送信するように指示する指示情報を携帯する。
【００８４】
選択的に、上記の別の競合伝送装置は、１つ又は複数の非アクセス局の送信したデータを受信した後に、アクセスカテゴリの競合ウィンドウを初期値にリセットする上記の設定モジュールをさらに備える。
【００８５】
選択的に、上記の別の競合伝送装置は、データに対応するアクセスカテゴリのバッファキュー長パラーメータを調整する上記の第１の調整モジュールをさらに備える。
【００８６】
選択的に、上記の別の競合伝送装置は、データに前記１つ又は複数の非アクセス局の１つ又は複数のアクセスカテゴリのバッファキュー長パラーメータが含まれている場合に、前記アクセス局が前記１つ又は複数のアクセスカテゴリのバッファキュー長パラーメータに応じて前記アクセス局側の１つ又は複数のアクセスカテゴリのバッファキュー長パラーメータを調整する上記の第２の調整モジュールをさらに備える。
【００８７】
なお、上記の各モジュールは、ソフトウェア又はハードウェアにより実現でき、ハードウェアについては、以下の方法で実現できるが、これに限定されない。上記の各モジュールはいずれも同一のプロセッサに位置され、或いは、上記の各モジュールはそれぞれ第１のプロセッサ、第２のプロセッサ及び第３のプロセッサ…に位置する。
【００８８】
別の実施例によれば、別の競合伝送方法がさらに提供され、図７は、本発明の実施例に係る競合伝送方法のフローチャートの一であり、図７に示すように、フローは下記のステップを含む。
ステップＳ７０２：非アクセス局がアクセス局の送信したトリガフレーム又はトリガ情報フィールドを携帯する無線フレームを受信する。
ステップＳ７０４：非アクセス局がトリガフレーム又はトリガ情報フィールドを携帯する無線フレームに応じてデータをアクセス局に送信する。
ステップＳ７０６：非アクセス局がアクセス局の応答メッセージを受信した後に、このデータに対応するアクセスカテゴリの競合ウィンドウを初期値にリセットする。
ステップＳ７０８：非アクセス局がこのデータに対応するアクセスカテゴリのバックオフタイマーをクリアする。
【００８９】
上記のステップによれば、非アクセス局がアクセス局の送信した応答メッセージを受信した後に、アクセスカテゴリの競合ウィンドウを初期値にリセットし、上記のアクセスカテゴリのバックオフタイマーをクリアすることによって、従来技術において競合方法でトリガフレームを送信した後に、アクセス局側及び非アクセス局側の競合パラーメータをどのように処理すべきであるかの問題を解決し、アクセス局側及び非アクセス局側のステーションの同一のキューの競合パラーメータが同期を保持するように確保するとともに、チャネルのビジー／フリー状態を示す。なお、上記のステップＳ７０６及びステップＳ７０８は先後順序の制限がない。
【００９０】
選択可能な一実施例では、上記のトリガフレーム又はトリガ情報フィールドを携帯する無線フレームには、アクセス局が指定した１つ又は複数の非アクセス局がアップリンクマルチユーザ伝送を行うときに送信するデータのアクセスカテゴリが携帯され、又は、前記トリガフレーム又はトリガ情報フィールドを携帯する無線フレームには、アクセス局が指示した非アクセス局が非競合方法で送信するトラフィックのデータを送信する指示情報が携帯される。
【００９１】
上記のステップＳ７０４によれば、非アクセス局がトリガフレーム又はトリガ情報フィールドを携帯する無線フレームに応じてデータをアクセス局に送信し、選択可能な一実施例では、トリガフレーム又はトリガ情報フィールドを携帯する無線フレームにおいてアクセスカテゴリを指定した場合に、非アクセス局が指定されたアクセスカテゴリに対応するデータを送信し、又は、トリガフレーム又はトリガ情報フィールドを携帯する無線フレームにおいてアクセスカテゴリを指定した場合に、非アクセス局が優先度レベルが前記指定されたアクセスカテゴリ以上のアクセスカテゴリに対応するデータを送信し、又は、トリガフレーム又はトリガ情報フィールドを携帯する無線フレームにおいてアクセスカテゴリを指定した場合に、非アクセス局が任意のアクセスカテゴリに対応するデータを送信し、且つ、少なくとも指定されたアクセスカテゴリに対応するデータを含むように確保する。別の選択可能な実施例では、トリガフレーム又はトリガ情報フィールドを携帯する無線フレームにおいてアクセスカテゴリを指定したか否かに関わらず（即ち、トリガフレーム又はトリガ情報フィールドを携帯する無線フレームにアクセスカテゴリが指定されているか否かに関わらず）、非アクセス局が任意のアクセスカテゴリに対応するデータを送信する。選択可能な一実施例では、又は、トリガフレーム又はトリガ情報フィールドを携帯する無線フレームにおいてアクセスカテゴリを指定し、非アクセス局の指定されたアクセスカテゴリには送信するデータがなく、非アクセス局の他のアクセスカテゴリのバッファキューには送信するデータがある場合に、非アクセス局が他のアクセスカテゴリに対応するデータを送信し、非アクセス局の任意のアクセスカテゴリのバッファキューのいずれにも送信するデータがない場合に（即ち、非アクセス局のすべてのアクセスカテゴリのバッファキューに送信するデータがない場合に）、非アクセス局が非競合方法で送信を行うトラフィックのデータを送信し、又は、トリガフレーム又はトリガ情報フィールドを携帯する無線フレームにおいてアクセスカテゴリを指定した場合に、非アクセス局がデフォルトで少なくとも非競合方法で送信を行うトラフィックのデータを送信し、又は、トリガフレーム又はトリガ情報フィールドを携帯する無線フレームにおいてアクセスカテゴリを指定した場合に、非アクセス局がデフォルトで常に非競合方法で送信を行うトラフィックのデータを送信することができ、又は、トリガフレーム又はトリガ情報フィールドを携帯する無線フレームにおいてアクセスカテゴリを指定した場合に、非アクセス局が指定されたアクセスカテゴリに対応するデータを優先的に送信し、上記の指定されたアクセスカテゴリのバッファキュー内の送信するデータ全長が指定されたアップリンクデータのパケット長に達していない場合に、他のアクセスカテゴリのデータ及び／又は非競合方法で送信を行うトラフィックのデータを送信する。
【００９２】
選択可能な一実施例では、前記トリガフレーム又は前記トリガ情報フィールドを携帯する無線フレームにおいて非競合方法で送信を行うトラフィックのデータを送信するように指定した場合に、非アクセス局が非競合方法で送信するトラフィックのデータを送信する。
【００９３】
非アクセス局が非競合方法でこのデータを送信するとき、選択可能な一実施例では、非アクセス局には非競合方法で送信を行うトラフィックのデータがない場合に、非アクセス局が任意のアクセスカテゴリキューのデータを送信する。
【００９４】
選択可能な一実施例では、上記のデータには前記非アクセス局の１つ又は複数のアクセスカテゴリのバッファキュー長が含まれる。
【００９５】
選択可能な一実施例では、非アクセス局がアクセス局に非競合方法で送信するトラフィックのバッファキュー長を報告する。
【００９６】
選択可能な一実施例では、非アクセス局が所定時間内でトリガフレーム又はトリガ情報フィールドを携帯する無線フレームを受信していない場合に、非アクセス局が任意のアクセスカテゴリが競合して得られた送信機会を利用して、非競合方法で送信を行うトラフィックのデータを送信する。
【００９７】
本発明の実施例によれば、さらに別の競合伝送方法が提供され、このさらに別の競合伝送方法は、非アクセス局がアクセス局の送信したトリガフレーム又はトリガ情報フィールドを携帯する無線フレームを受信するステップと、この非アクセス局がトリガフレーム又はトリガ情報フィールドを携帯する無線フレームに応じてデータを前記アクセス局に送信するステップとを含む。ここで、このトリガフレーム又はトリガ情報フィールドを携帯する無線フレームには、アクセス局の指定した１つ又は複数の非アクセス局がアップリンクマルチユーザ伝送を行うときに送信するデータのアクセスカテゴリが携帯され、又は、このトリガフレーム又はトリガ情報フィールドを携帯する無線フレームには、アクセス局が指示した非アクセス局が非競合方法で送信するトラフィックのデータを送信する指示情報が携帯される。
【００９８】
選択的に、上記のさらに別の競合伝送方法は、非アクセス局がアクセス局の応答メッセージを受信した後に、データに対応するアクセスカテゴリの競合ウィンドウを初期値にリセットするステップと、非アクセス局がデータに対応するアクセスカテゴリのバックオフタイマーをクリアするステップとをさらに含む。
【００９９】
選択的に、上記のさらに別の競合伝送方法では、非アクセス局がトリガフレーム又はトリガ情報フィールドを携帯する無線フレームに応じてデータをアクセス局に送信するステップは、トリガフレーム又はトリガ情報フィールドを携帯する無線フレームにおいてアクセスカテゴリを指定した場合に、非アクセス局が指定されたアクセスカテゴリに対応するデータを送信するステップ、又は、トリガフレーム又はトリガ情報フィールドを携帯する無線フレームにおいてアクセスカテゴリを指定した場合に、非アクセス局が優先度レベルが前記指定されたアクセスカテゴリ以上のアクセスカテゴリに対応するデータを送信するステップ、又は、トリガフレーム又はトリガ情報フィールドを携帯する無線フレームにおいてアクセスカテゴリを指定した場合に、非アクセス局が任意のアクセスカテゴリに対応するデータを送信し、且つ、少なくとも指定されたアクセスカテゴリに対応するデータを含むように確保するステップとを含む。別の選択可能な実施例では、トリガフレーム又はトリガ情報フィールドを携帯する無線フレームにおいてアクセスカテゴリを指定したか否かに関わらず（即ち、トリガフレーム又はトリガ情報フィールドを携帯する無線フレームにアクセスカテゴリが指定されているか否かに関わらず）、非アクセス局が任意のアクセスカテゴリに対応するデータを送信する。選択可能な一実施例では、又は、トリガフレーム又はトリガ情報フィールドを携帯する無線フレームにおいてアクセスカテゴリを指定し、非アクセス局の指定されたアクセスカテゴリには送信するデータがなく、非アクセス局の他のアクセスカテゴリのバッファキューには送信するデータがある場合に、非アクセス局が他のアクセスカテゴリに対応するデータを送信し、非アクセス局の任意のアクセスカテゴリのバッファキューのいずれにも送信するデータがない場合に（即ち、非アクセス局のすべてのアクセスカテゴリのバッファキューに送信するデータがない場合に）、非アクセス局が非競合方法で送信を行うトラフィックのデータを送信し、又は、トリガフレーム又はトリガ情報フィールドを携帯する無線フレームにおいてアクセスカテゴリを指定した場合に、非アクセス局がデフォルトで少なくとも非競合方法で送信を行うトラフィックのデータを送信し、又は、トリガフレーム又はトリガ情報フィールドを携帯する無線フレームにおいてアクセスカテゴリを指定した場合に、非アクセス局がデフォルトで常に非競合方法で送信を行うトラフィックのデータを送信することができ、又は、トリガフレーム又はトリガ情報フィールドを携帯する無線フレームにおいてアクセスカテゴリを指定した場合に、非アクセス局が指定されたアクセスカテゴリに対応するデータを優先的に送信し、上記の指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信する。
【０１００】
選択的に、上記のさらに別の競合伝送方法は、トリガフレーム又はトリガ情報フィールドを携帯する無線フレームにおいて非競合方法で送信を行うトラフィックのデータを送信するように指定した場合に、非アクセス局が非競合方法で送信するトラフィックのデータを送信するステップをさらに含む。
【０１０１】
選択的に、上記のさらに別の競合伝送方法では、非アクセス局が非競合方法で送信するトラフィックのデータを送信するステップは、非アクセス局には非競合方法で送信を行うトラフィックのデータがない場合に、非アクセス局が任意のアクセスカテゴリのデータを送信するステップを含む。
【０１０２】
選択的に、上記のさらに別の競合伝送方法では、上記のデータには非アクセス局の１つ又は複数のアクセスカテゴリのバッファキュー長パラーメータが含まれる。
【０１０３】
選択的に、上記のさらに別の競合伝送方法では、上記の非アクセス局がアクセス局に非競合方法で送信するトラフィックのバッファキュー長を報告する。
【０１０４】
選択的に、上記のさらに別の競合伝送方法は、非アクセス局が所定時間内でトリガフレーム又はトリガ情報フィールドを携帯する無線フレームを受信していない場合に、上記の非アクセス局が任意のアクセスカテゴリが競合して得られた送信機会を利用して、非競合方法で送信するトラフィックのデータを送信するステップをさらに含む。
【０１０５】
本実施例によれば、別の競合伝送装置がさらに提供され、この装置は、上記の実施例及び好ましい実施形態を実現するためのもので、既に説明されている部分については詳細な説明を省略する。以下に使用された用語「モジュール」は、予め設定した機能のソフトウェア及び／又はハードウェアの組み合わせを実現できる。以下の実施例に説明する装置は、ソフトウェアで実現されることが好ましいが、ハードウェア、又は、ソフトウェア及びハードウェアの組み合わせで実現することも構想されるものである。
【０１０６】
図８は、本発明の実施例に係る非アクセス局に用いられる競合伝送装置の構成を示すブロック図の三であり、図８に示すように、前記装置は、アクセス局の送信したトリガフレーム又はトリガ情報フィールドを携帯する無線フレームを受信する受信モジュール８２と、トリガフレーム又はトリガ情報フィールドを携帯する無線フレームに応じてデータをこのアクセス局に送信する第１の送信モジュール８４と、このアクセス局の応答メッセージを受信した後に、このデータに対応するアクセスカテゴリの競合ウィンドウを初期値にリセットする設定モジュール８６と、このデータに対応するこのアクセスカテゴリのバックオフタイマーをクリアするクリアモジュール８８とを備える。
【０１０７】
選択可能な一実施例では、上記のトリガフレーム又はトリガ情報フィールドを携帯する無線フレームには、アクセス局が指定した１つ又は複数の非アクセス局がアップリンクマルチユーザ伝送を行うときに送信するデータのアクセスカテゴリが携帯され、又は、前記トリガフレーム又はトリガ情報フィールドを携帯する無線フレームには、アクセス局が指示した非アクセス局が非競合方法で送信するトラフィックのデータを送信する指示情報が携帯される。
【０１０８】
図９は、本発明の実施例に係る競合伝送装置の構成を示すブロック図の四であり、図９に示すように、第１の送信モジュール８４は、トリガフレーム又はトリガ情報フィールドを携帯する無線フレームにおいてアクセスカテゴリを指定した場合に、この指定されたアクセスカテゴリに対応するデータを送信し、又は、トリガフレーム又はトリガ情報フィールドを携帯する無線フレームにおいてアクセスカテゴリを指定した場合に、優先度レベルが前記指定されたアクセスカテゴリ以上のアクセスカテゴリに対応するデータを送信し、又は、トリガフレーム又はトリガ情報フィールドを携帯する無線フレームにおいてアクセスカテゴリを指定した場合に、任意のアクセスカテゴリに対応するデータを送信し、且つ、少なくとも指定されたアクセスカテゴリに対応するデータを含むように確保する第１の送信ユニット８４２、又は、トリガフレーム又はトリガ情報フィールドを携帯する無線フレームにおいてアクセスカテゴリを指定したか否かに関わらず（即ち、トリガフレーム又はトリガ情報フィールドを携帯する無線フレームにアクセスカテゴリが指定されているか否かに関わらず）、任意のアクセスカテゴリに対応するデータを送信する第２の送信ユニット８４４、又は、トリガフレーム又はトリガ情報フィールドを携帯する無線フレームにおいてアクセスカテゴリを指定し、非アクセス局の指定されたアクセスカテゴリには送信するデータがなく、非アクセス局の他のアクセスカテゴリのバッファキューには送信するデータがある場合に、他のアクセスカテゴリに対応するデータを送信し、非アクセス局の任意のアクセスカテゴリのバッファキューのいずれにも送信するデータがない場合に、非競合方法で送信を行うトラフィックのデータを送信し、又は、トリガフレーム又はトリガ情報フィールドを携帯する無線フレームにおいてアクセスカテゴリを指定した場合に、デフォルトで少なくとも非競合方法で送信を行うトラフィックのデータを送信する第３の送信ユニット８４６、又は、トリガフレーム又はトリガ情報フィールドを携帯する無線フレームにおいてアクセスカテゴリを指定した場合に、デフォルトで常に非競合方法で送信を行うトラフィックのデータを送信することができる第４の送信ユニット８４８、又は、トリガフレーム又はトリガ情報フィールドを携帯する無線フレームにおいてアクセスカテゴリを指定した場合に、指定されたアクセスカテゴリに対応するデータを優先的に送信し、上記の指定されたアクセスカテゴリのバッファキュー内の送信するデータの全長が指定されたアップリンクデータのパケット長に達していない場合に、他のアクセスカテゴリのデータ及び／又は非競合方法で送信を行うトラフィックのデータを送信する第５の送信ユニット８４１０を備える。
【０１０９】
図１０は、本発明の実施例に係る競合伝送装置の構成を示すブロック図の五であり、図１０に示すように、前記装置は、トリガフレーム又はトリガ情報フィールドを携帯する無線フレームにおいて非競合方法で送信を行うトラフィックのデータを送信するように指定した場合に、非アクセス局が非競合方法で送信するトラフィックのデータを送信する第２の送信モジュール１０２をさらに備える。
【０１１０】
選択的に、第２の送信モジュール１０２は、さらに、非アクセス局には非競合方法で送信を行うトラフィックのデータがない場合に、任意のアクセスカテゴリキューのデータを送信するように構成される。
【０１１１】
選択的に、このデータには非アクセス局の１つ又は複数のアクセスカテゴリのバッファキュー長が含まれる。
【０１１２】
図１１は、本発明の実施例に係る競合伝送装置の構成を示すブロック図の六であり、図１１に示すように、前記装置は、アクセス局に非競合方法で送信するトラフィックのバッファキュー長を報告する第３の送信モジュール１１２をさらに備える。
【０１１３】
図１２は、本発明の実施例に係る競合伝送装置の構成を示すブロック図の七であり、図１２に示すように、前記装置は、この非アクセス局が所定時間内でこのトリガフレーム又はこのトリガ情報フィールドを携帯する無線フレームを受信していない場合に、非競合方法で送信を行うトラフィックのデータを送信する第４の送信モジュール１２２をさらに備える。
【０１１４】
選択的に、トリガフレーム又はトリガ情報フィールドを携帯する無線フレームには、非アクセス局のスケジューリング情報が携帯され、トリガフレーム及びトリガ情報フィールドを携帯する無線フレームはいずれも１つ又は複数の非アクセス局がアップリンクマルチユーザ伝送を行うようにトリガするために使用される。
【０１１５】
本発明の実施例によれば、非アクセス局に用いられるさらに別の競合伝送装置が提供され、アクセス局の送信したトリガフレーム又はトリガ情報フィールドを携帯する無線フレームを受信する上記の受信モジュールと、トリガフレーム又はトリガ情報フィールドを携帯する無線フレームに応じてデータをアクセス局に送信する第１の送信モジュールとを備える。ここで、トリガフレーム又はトリガ情報フィールドを携帯する無線フレームには、アクセス局が指定した１つ又は複数の非アクセス局がアップリンクマルチユーザ伝送を行うときに送信するデータのアクセスカテゴリが携帯され、又は、トリガフレーム又はトリガ情報フィールドを携帯する無線フレームには、アクセス局が指示した非アクセス局が非競合方法で送信するトラフィックのデータを送信する指示情報が携帯される。
【０１１６】
選択的に、上記のさらに別の競合伝送装置は、アクセス局の応答メッセージを受信した後に、データに対応するアクセスカテゴリの競合ウィンドウを初期値にリセットする上記の設定モジュールと、データに対応する前記アクセスカテゴリのバックオフタイマーをクリアするクリアモジュールとをさらに備える。
【０１１７】
選択的に、上記のさらに別の競合伝送装置内の第１の送信モジュールは、トリガフレーム又はトリガ情報フィールドを携帯する無線フレームにおいてアクセスカテゴリを指定した場合に、指定されたアクセスカテゴリに対応するデータを送信し、又は、トリガフレーム又はトリガ情報フィールドを携帯する無線フレームにおいてアクセスカテゴリを指定した場合に、優先度レベルが指定されたアクセスカテゴリ以上のアクセスカテゴリに対応するデータを送信し、又は、トリガフレーム又はトリガ情報フィールドを携帯する無線フレームにおいてアクセスカテゴリを指定した場合に、任意のアクセスカテゴリに対応するデータを送信し、且つ、少なくとも指定されたアクセスカテゴリに対応するデータを含む上記の第１の送信ユニット、又は、トリガフレーム又はトリガ情報フィールドを携帯する無線フレームにおいてアクセスカテゴリを指定したか否かに関わらず（即ち、トリガフレーム又はトリガ情報フィールドを携帯する無線フレームにアクセスカテゴリが指定されているか否かに関わらず）、任意のアクセスカテゴリに対応するデータを送信する第２の送信ユニット、又は、トリガフレーム又はトリガ情報フィールドを携帯する無線フレームにおいてアクセスカテゴリを指定し、非アクセス局の指定されたアクセスカテゴリには送信するデータがなく、非アクセス局の他のアクセスカテゴリのバッファキューには送信するデータがある場合に、他のアクセスカテゴリに対応するデータを送信し、非アクセス局の任意のアクセスカテゴリのバッファキューのいずれにも送信するデータがない場合に、非競合方法で送信を行うトラフィックのデータを送信し、又は、トリガフレーム又はトリガ情報フィールドを携帯する無線フレームにおいてアクセスカテゴリを指定した場合に、デフォルトで少なくとも非競合方法で送信を行うトラフィックのデータを送信する第３の送信ユニット、又は、トリガフレーム又はトリガ情報フィールドを携帯する無線フレームにおいてアクセスカテゴリを指定した場合に、デフォルトで常に非競合方法で送信を行うトラフィックのデータを送信することができる第４の送信ユニット、又は、トリガフレーム又はトリガ情報フィールドを携帯する無線フレームにおいてアクセスカテゴリを指定した場合に、指定されたアクセスカテゴリに対応するデータを優先的に送信し、指定されたアクセスカテゴリのバッファキュー内の送信するデータ全長が指定されたアップリンクデータのパケット長に達していない場合に、他のアクセスカテゴリのデータ及び／又は非競合方法で送信を行うトラフィックのデータを送信する第５の送信ユニットを備える。
【０１１８】
選択的に、上記のさらに別の競合伝送装置は、トリガフレーム又はトリガ情報フィールドを携帯する無線フレームにおいて非競合方法で送信を行うトラフィックのデータを送信するように指定した場合に、非競合方法で送信するトラフィックのデータを送信する上記の第２の送信モジュールをさらに備える。
【０１１９】
選択的に、上記のさらに別の競合伝送装置内の第２の送信モジュールは、さらに、非アクセス局には非競合方法で送信を行うトラフィックのデータがない場合に、任意のアクセスカテゴリキューのデータを送信する。
【０１２０】
選択的に、上記のさらに別の競合伝送装置では、データには非アクセス局の１つ又は複数のアクセスカテゴリのバッファキュー長パラーメータが含まれる。
【０１２１】
選択的に、上記のさらに別の競合伝送装置は、アクセス局に非競合方法で送信するトラフィックのバッファキュー長を報告する上記の第３の送信モジュールをさらに備える。
【０１２２】
選択的に、上記のさらに別の競合伝送装置は、非アクセス局が所定時間内でトリガフレーム又は前記トリガ情報フィールドを携帯する無線フレームを受信していない場合に、任意のアクセスカテゴリが競合して得られた送信機会を利用して、非競合方法で送信するトラフィックのデータを送信する上記の第４の送信モジュールをさらに備える。
【０１２３】
なお、上記各モジュールは、ソフトウェア又はハードウェアにより実現でき、ハードウェアについては、以下の方法で実現できるが、これに限定されない。上記モジュールはいずれも同一のプロセッサに位置され、或いは、上記の各モジュールはそれぞれ第１のプロセッサ、第２のプロセッサ及び第３のプロセッサ…に位置する。
【０１２４】
従来技術に存在する上記の問題に対して、以下、具体的な選択可能な実施例を併せて説明する。
【０１２５】
実施例１
ＡＰとＳＴＡが確立するトラフィックのデータ送信方法には、非競合方法送信及び競合方法送信の２種類がある。競合方法送信に対して、データはＡＣキューにキューイングして競合送信を待機する。図１３は、本発明の実施例に係るＡＰがステーションのためにアップリンクＡＣキューを確立する例を示す図の一であり、図１３に示すように、ＡＰ側で、それに関連付けられた１つ又は複数のＳＴＡの報告した自分の４つのＡＣキューのバッファキュー長情報を収集し、ＡＣの優先順位は、低から高へ順にＡＣ−ＢＫ（ｂａｃｋｇｒｏｕｎｄ）、ＡＣ−ＢＥ（ｂｅｓｔ  ｅｆｆｏｒｔ）、ＡＣ−ＶＩ（ｖｉｄｅｏ）、ＡＣ−ＶＯ（ｖｏｉｃｅ）である。ＡＰ側で４つのアップリンクＡＣキューを確立し、各ＳＴＡの同一のＡＣキューに属するデータが同一のキューにキューイングして送信を待機する。４つのＡＣキュー及びＡＰ自体の４つのダウンリンクＡＣキューが同時に競合を行う。非競合方法で送信するトラフィックに対して、ＳＴＡは、非競合方法で送信する１つ又は複数のトラフィックのバッファキュー長をＡＰに報告してもよい。
【０１２６】
アップリンクＡＣの１つとして、例えば、ＡＣ−ＶＯが競合に成功した場合に、ＡＰはトリガフレーム又はトリガ情報フィールドを携帯するフレームを送信する。ＡＰはトリガフレーム又はトリガ情報フィールドにおいてＳＴＡ１〜ＳＴＡ４がアップリンクマルチユーザデータ伝送を行うようにスケジューリングし、ＡＰはトリガフレームにおいてＳＴＡ１〜ＳＴＡ４が送信するデータをＡＣ−ＶＯキューのデータと指定する。
【０１２７】
ＳＴＡ１〜ＳＴＡ４がトリガフレームを受信し、トリガフレーム内のスケジューリング情報及び時間周波数オフセット補正情報に基づいて、アップリンクマルチユーザ伝送を行う。ＡＰが送信するデータをＡＣ−ＶＯキューのデータと指定した場合、ＳＴＡ１〜ＳＴＡ４はいずれもＡＣ−ＶＯキューのデータを送信すべきである。
【０１２８】
ＡＰは、さらに、ＳＴＡ１がＡＣ−ＶＯを送信し、ＳＴＡ２及びＳＴＡ３がＡＣ−ＢＥを送信し、ＳＴＡ４がＡＣ−ＶＩを送信するように、各ＳＴＡが送信するデータのＡＣキューをそれぞれ指示できる。すると、トリガフレームを受信した後に、ＳＴＡ１がＡＣ−ＶＯキューのデータを送信し、ＳＴＡ２及びＳＴＡ３がＡＣ−ＢＥキューのデータを送信し、ＳＴＡ４がＡＣ−ＶＩキューのデータを送信する。
【０１２９】
ＡＰがアップリンクマルチユーザデータを受信し、パリティ及び復調が成功的に完了した場合に、ＡＰ側のアップリンクＡＣ−ＶＯキューの競合ウィンドウを初期値ＣＷｍｉｎにリセットする。
【０１３０】
ＡＰが、受信されたアップリンクマルチユーザデータに対して、確認フレームをステーションに送信し、ステーションは確認フレームを受信した場合に、自分のＡＣ−ＶＯキューの競合ウィンドウを初期値ＣＷｍｉｎにリセットし、ＡＣ−ＶＯキューのバックオフタイマーをクリアする。
【０１３１】
ＡＰがＳＴＡ１〜ＳＴＡ４の送信したデータを受信し、ＡＰがデータパケット数に応じて、自分の側のアップリンクＡＣ−ＶＯバッファキュー長パラーメータを調整し、ＳＴＡ１〜ＳＴＡ４がアップリンクデータに現在の自分の１つ又は複数のアクセスカテゴリバッファキュー長を携帯している場合に、ＡＰは、ステーションが提供した情報に基づいて、ＡＰ側に対応するアップリンクＡＣのバッファキュー長パラーメータを更新する。
【０１３２】
実施例２
ＡＰ側で、それに関連付けられた１つ又は複数のＳＴＡの報告した自分の４つのＡＣキューのバッファキュー長情報を収集し、４つのキューはそれぞれＡＣ−ＢＫ（ｂａｃｋｇｒｏｕｎｄ）、ＡＣ−ＢＥ（ｂｅｓｔ  ｅｆｆｏｒｔ）、ＡＣ−ＶＩ（ｖｉｄｅｏ）、ＡＣ−ＶＯ（ｖｏｉｃｅ）である。ＡＰ側で４つのアップリンクＡＣキューを確立し、各ＳＴＡの同一のＡＣキューに属するデータが同一のキューにキューイングして送信を待機する。４つのＡＣキュー及びＡＰ自体の４つのダウンリンクＡＣキューが同時に競合を行う。
【０１３３】
アップリンクＡＣ−ＶＯ競合が成功した場合に、ＡＰがトリガフレーム又はトリガ情報フィールドを携帯する無線フレームを送信する。ＡＰはトリガフレームにおいてＳＴＡ１〜ＳＴＡ４がアップリンクマルチユーザデータ伝送を行うようにスケジューリングし、ＡＰがトリガフレームにおいてＳＴＡ１〜ＳＴＡ４が送信するデータをＡＣ−ＶＯキューのデータと指定する。
【０１３４】
ＳＴＡ１〜ＳＴＡ４がトリガフレームを受信し、トリガフレーム内のスケジューリング情報及び時間周波数オフセット補正情報に基づいて、アップリンクマルチユーザ伝送を行う。ＡＰが送信するデータをＡＣ−ＶＯキューのデータと指定しているが、ＳＴＡ１〜ＳＴＡ４は任意のＡＣキューのデータを送信でき、且つ、少なくともＡＣ−ＶＯキューのデータを含むことを確保すべきである。
【０１３５】
ＡＰは、さらに、ＳＴＡ１がＡＣ−ＶＯを送信し、ＳＴＡ２がＡＣ−ＢＥを送信し、ＳＴＡ３及びＳＴＡ４がＡＣ−ＶＩを送信するように、各ＳＴＡが送信するデータのＡＣキューをそれぞれ指示できる。すると、トリガフレームを受信した後に、ＳＴＡ１が少なくともＡＣ−ＶＯキューのデータを送信し、ＳＴＡ２が少なくともＡＣ−ＢＥキューのデータを送信し、ＳＴＡ３及びＳＴＡ４が少なくともＡＣ−ＶＩキューのデータを送信する。各ＳＴＡは、さらに、上記の指定されたＡＣキューのデータ以外の他の任意のＡＣキューのデータを送信できる。
【０１３６】
ＡＰがアップリンクマルチユーザデータを受信し、パリティ及び復調が成功的に完了した場合に、ＡＰ側のアップリンクＡＣ−ＶＯキューの競合ウィンドウを初期値ＣＷｍｉｎにリセットする。
【０１３７】
ＡＰが、受信されたアップリンクマルチユーザデータに対して、確認フレームをステーションに送信し、ステーションは確認フレームを受信した場合に、自分が伝送するデータに対応するＡＣキューの競合ウィンドウを初期値ＣＷｍｉｎにリセットし、ＡＣキューのバックオフタイマーをクリアする。
【０１３８】
ＡＰがＳＴＡ１〜ＳＴＡ４の送信したデータを受信し、ＡＰが、自分の側のアップリンクＡＣ−ＶＯバッファキュー長パラーメータ及び他の受信されたデータに対応するアップリンクＡＣのバッファキュー長パラーメータを調整し、ＳＴＡ１〜ＳＴＡ４がアップリンクデータに現在の自分の１つ又は複数のアクセスカテゴリバッファキュー長を携帯している場合に、ＡＰがステーションの提供した情報に基づいて、ＡＰ側に対応するアップリンクＡＣのバッファキュー長パラーメータを更新する。
【０１３９】
実施例３
ＡＰ側で、それに関連付けられた１つ又は複数のＳＴＡの報告した自分の４つのＡＣキューのバッファキュー長情報を収集し、４つのキューはそれぞれＡＣ−ＢＫ（ｂａｃｋｇｒｏｕｎｄ）、ＡＣ−ＢＥ（ｂｅｓｔ  ｅｆｆｏｒｔ）、ＡＣ−ＶＩ（ｖｉｄｅｏ）、ＡＣ−ＶＯ（ｖｏｉｃｅ）である。ＡＰ側で４つのアップリンクＡＣキューを確立し、各ＳＴＡの同一のＡＣキューに属するデータが同一のキューにキューイングして送信を待機する。４つのＡＣキュー及びＡＰ自体の４つのダウンリンクＡＣキューが同時に競合を行う。
【０１４０】
アップリンクＡＣの１つとして、例えば、ＡＣ−ＶＯが競合に成功した場合に、ＡＰはＡＣ−ＶＯの競合パラーメータに従ってトリガフレームの送信を行う。
【０１４１】
ＡＰはトリガフレームにおいてＳＴＡ１〜ＳＴＡ４がアップリンクマルチユーザデータ伝送を行うようにスケジューリングし、ＡＰはトリガフレームにおいてＳＴＡ１〜ＳＴＡ４が送信するデータのＡＣを指定しない。
【０１４２】
ＳＴＡ１〜ＳＴＡ４がトリガフレームを受信し、トリガフレーム内のスケジューリング情報及び時間周波数オフセット補正情報に基づいて、アップリンクマルチユーザ伝送を行う。ＡＰが送信するＡＣキューを指定していないので、ＳＴＡ１〜ＳＴＡ４はＡ−ＭＰＤＵにおいて任意のＡＣキューのデータを送信できる。
【０１４３】
又は、ＡＰがトリガフレームにおいてＳＴＡ１〜ＳＴＡ４が送信するデータのＡＣをＡＣ−ＶＯと指定するが、ＳＴＡ１〜ＳＴＡ４はトリガフレームを受信して、Ａ−ＭＰＤＵにおいて任意のＡＣキューのデータを送信できる。
【０１４４】
又は、ＡＰは、ＳＴＡ１がＡＣ−ＶＯを送信し、ＳＴＡ２がＡＣ−ＢＥを送信し、ＳＴＡ３及びＳＴＡ４がＡＣ−ＶＩを送信するように、各ＳＴＡが送信するデータのＡＣキューをそれぞれ指示することができるが、トリガフレームを受信した後に、各ＳＴＡは任意のＡＣキューのデータを送信する。
【０１４５】
ＡＰがアップリンクマルチユーザデータを受信し、パリティ及び復調が成功的に完了した場合に、対応するＡＰ側のアップリンクＡＣキューの競合ウィンドウを初期値ＣＷｍｉｎにリセットする。
【０１４６】
ＡＰが、受信されたアップリンクマルチユーザデータに対して、確認フレームをステーションに送信し、ステーションが確認フレームを受信した場合に、自分が伝送するデータに対応するＡＣキューの競合ウィンドウを初期値ＣＷｍｉｎにリセットし、ＡＣキューのバックオフタイマーをクリアする。
【０１４７】
ＡＰがＳＴＡ１〜ＳＴＡ４の送信したデータを受信し、ＡＰが自分の側の受信したデータに対応するアップリンクＡＣのバッファキュー長パラーメータを調整し、ＳＴＡ１〜ＳＴＡ４がアップリンクデータに現在の自分の１つ又は複数のアクセスカテゴリバッファキュー長を携帯している場合に、ＡＰが、ステーションの提供した情報に基づいて、ＡＰ側に対応するアップリンクＡＣのバッファキュー長パラーメータを更新する。
【０１４８】
実施例４
ＡＰ側で、それに関連付けられた１つ又は複数のＳＴＡの報告した自分の４つのＡＣキューのバッファキュー長情報を収集し、ＡＰ側で４つのアップリンクＡＣキューを確立し、４つのＡＣキュー及びＡＰ自体の４つのダウンリンクＡＣキューが同時に競合を行う。
【０１４９】
アップリンクＡＣの１つとして、例えば、ＡＣ−ＢＥ競合が成功した場合に、ＡＰがトリガフレーム又はトリガ情報フィールドを携帯するフレームを送信する。ＡＰがトリガフレーム又はトリガ情報フィールドを携帯する無線フレームにおいてＳＴＡ１〜ＳＴＡ４がアップリンクマルチユーザデータ伝送を行うようにスケジューリングし、ＡＰがトリガフレームにおいてアクセスが許可されるＡＣをＡＣ−ＢＥと指示する。
【０１５０】
ＳＴＡ１〜ＳＴＡ４がトリガフレームを受信した後に、ＡＣ優先度がＡＣ−ＢＥ以上のキューのデータの送信を許可し、即ち、ＳＴＡ１〜ＳＴＡ４はＡＣ−ＢＥ、ＡＣ−ＶＩ及びＡＣ−ＶＯキューのデータを送信できる。
【０１５１】
ＡＰは、さらに、ＳＴＡ１がＡＣ−ＶＯを送信し、ＳＴＡ２がＡＣ−ＢＥを送信し、ＳＴＡ３及びＳＴＡ４がＡＣ−ＶＩを送信するように、各ＳＴＡが送信するデータのＡＣキューをそれぞれ指示できる。すると、トリガフレームを受信した後に、ＳＴＡ１はＡＣ−ＶＯキューのデータの送信が許可され、ＳＴＡ２はＡＣ−ＢＥ、ＡＣ−ＶＩ及びＡＣ−ＶＯキューのデータの送信が許可され、ＳＴＡ３及びＳＴＡ４はＡＣ−ＶＩ及びＡＣ−ＶＯキューのデータの送信が許可される。
【０１５２】
ＡＰがアップリンクマルチユーザデータを受信し、パリティ及び復調が成功的に完了した場合に、ＡＰ側のアップリンクＡＣ−ＢＥキューの競合ウィンドウを初期値ＣＷｍｉｎにリセットする。
【０１５３】
ＡＰが、受信されたアップリンクマルチユーザデータに対して、確認フレームをステーションに送信し、ステーションが確認フレームを受信した場合に、自分が伝送するデータに対応するＡＣキューの競合ウィンドウを初期値ＣＷｍｉｎにリセットし、ＡＣキューのバックオフタイマーをクリアする。
【０１５４】
ＡＰがＳＴＡ１〜ＳＴＡ４の送信したデータを受信し、ＡＰが、データパケット数に基づいて、自分の側のアップリンクＡＣバッファキュー長パラーメータを調整し、ＳＴＡ１〜ＳＴＡ４がアップリンクデータに現在の自分の１つ又は複数のアクセスカテゴリバッファキュー長を携帯している場合に、ＡＰが、ステーションの提供した情報に基づいて、ＡＰ側に対応するアップリンクＡＣのバッファキュー長パラーメータを更新する。
【０１５５】
実施例５
図１４は、本発明の実施例に係るＡＰがステーションのためにアップリンクＡＣキューを確立する例を示す図の二であり、図１４に示すように、ＡＰ側で、１つのみのアップリンクキューを確立し、各ＳＴＡのすべてのＡＣのデータが全部このキューに入って競合送信を待機する。このアップリンクキューは、システムの予め設定の競合パラーメータを有し、競合が成功した場合に、ＡＰがトリガフレームを送信して、アップリンクマルチユーザ伝送をトリガする。
【０１５６】
ＳＴＡ１〜ＳＴＡ４がトリガフレームを受信し、トリガフレーム内のスケジューリング情報及び時間周波数オフセット補正情報に基づいて、アップリンクマルチユーザ伝送を行う。ＡＰがＳＴＡ１〜ＳＴＡ４の現在のアップリンクマルチユーザ伝送を行うＡＣをＡＣ−ＶＯと指定し、又は、各ステーションのためにアップリンクマルチユーザ伝送するＡＣをそれぞれ指定しており、ステーションの送信するように指定されたＡＣキューにバッファデータがない場合には、他のＡＣキューのバッファデータを送信でき、ステーションの４つのＡＣのバッファキューのいずれにも送信するデータがない場合には、ステーションは非競合方法で送信を行うトラフィックのデータを送信できる。
【０１５７】
ステーションがアップリンクデータ伝送を行い、ＡＰがステーションの送信したアップリンクデータを受信し、パリティ及び復調が成功的に完了した場合に、対応するＡＰ側のアップリンクＡＣキューの競合ウィンドウを初期値ＣＷｍｉｎにリセットする。
【０１５８】
ＡＰがＳＴＡ１〜ＳＴＡ４の送信したデータを受信し、ＳＴＡ１〜ＳＴＡ４がアップリンクデータに現在の自分の１つ又は複数のアクセスカテゴリバッファキュー長を携帯している場合に、ＡＰは、ステーションの提供した情報に基づいて、ＡＰ側に対応するアップリンクＡＣのバッファキュー長パラーメータを更新する。
【０１５９】
実施例６
ＡＰがシステム情報で１つ又は複数のトリガフレーム又はトリガ情報フィールドを含む無線フレームの送信時刻を指示し、所定時刻に到達した場合に、トリガフレーム又はトリガ情報フィールドを含む無線フレームを送信する。
【０１６０】
ＡＰがＳＴＡの報告した非競合方法で送信するトラフィックのバッファキュー長を収集する。ＡＰがトリガフレーム又はトリガ情報フィールドを携帯する無線フレームにおいてステーションがアップリンクマルチユーザ伝送を行うデータを非競合方法で送信を行うトラフィックのデータと指定する。このとき、トリガフレーム又はトリガ情報フィールドを携帯する無線フレームに携帯しているのは、ＡＣ識別子ではなく、非競合方法で送信を行うトラフィックの識別子である。
【０１６１】
ステーションがトリガフレーム又はトリガ情報フィールドを携帯する無線フレームを受信した場合に、非競合方法で送信を行うトラフィックのデータを送信する。このとき、ステーションには非競合方法で送信を行うトラフィックのデータがない場合に、ステーションは任意のＡＣキューのデータを送信できる。
【０１６２】
実施例７
ＡＰがシステム情報で１つ又は複数のトリガフレーム又はトリガ情報フィールドを含む無線フレームの送信時刻を指示し、所定時刻に到達した場合に、トリガフレーム又はトリガ情報フィールドを含む無線フレームを送信する。ステーションが所定時刻内でＡＰの送信したトリガフレーム又はトリガ情報フィールドを携帯する無線フレームを受信していない場合に、ステーションは、任意のアクセスカテゴリが競合して得られた送信機会を利用して、非競合方法で送信を行うトラフィックのデータを送信できる。
【０１６３】
実施例８
ＡＰ側でそれに関連付けられた１つ又は複数のＳＴＡの報告した自分の４つのＡＣキューのバッファキュー長情報を収集し、４つのキューはそれぞれＡＣ−ＢＫ（ｂａｃｋｇｒｏｕｎｄ）、ＡＣ−ＢＥ（ｂｅｓｔ  ｅｆｆｏｒｔ）、ＡＣ−ＶＩ（ｖｉｄｅｏ）、ＡＣ−ＶＯ（ｖｏｉｃｅ）である。ＡＰ側で４つのアップリンクＡＣキューを確立し、各ＳＴＡの同一のＡＣキューに属するデータが同一のキューにキューイングして送信を待機する。４つのＡＣキュー及びＡＰ自体の４つのダウンリンクＡＣキューが同時に競合を行う。又は、ＡＰ側で１つのアップリンクＡＣキューを確立し、すべてのＳＴＡのすべてのＡＣキューのデータがこのキューに入って競合送信を待機する。
【０１６４】
アップリンクＡＣが競合に成功した場合に、ＡＰがトリガフレーム又はトリガ情報フィールドを携帯するフレームを送信して、ＳＴＡ１〜ＳＴＡ４がアップリンクマルチユーザ伝送を行うようにトリガし、ＡＰがトリガフレーム又はトリガ情報フィールドを携帯する無線フレームにおいてＳＴＡ１〜ＳＴＡ４がＡＣ−ＶＩのデータを送信するように指示した場合に、上記のステーションはＡＣ−ＶＩのデータを送信し、又は、ＡＣ−ＶＩ及び優先度がＡＣ−ＶＩより高いＡＣ、即ちＡＣ−ＶＯのデータを送信できる。且つ、上記の２つの送信状況では、デフォルトで常に非競合方法で送信を行うトラフィックのデータを送信することができる。いずれの場合でも常に送信できるように、非競合方法で送信を行うトラフィックを最も高い優先度とみなすことができる。
【０１６５】
ＡＰは、さらに、ＳＴＡ１がＡＣ−ＶＯを送信し、ＳＴＡ２がＡＣ−ＢＥを送信し、ＳＴＡ３及びＳＴＡ４がＡＣ−ＶＩを送信するように、各ＳＴＡが送信するデータのＡＣキューをそれぞれ指示できる。すると、トリガフレームを受信した後に、ＳＴＡ１がＡＣ−ＶＯキューのデータを送信し、ＳＴＡ２及びＳＴＡ３がＡＣ−ＢＥキューのデータ又は優先度がＡＣ−ＢＥより高いデータを送信し、ＳＴＡ４がＡＣ−ＶＩキューのデータ、又は優先度がＡＣ−ＶＩより高いデータを送信する。且つ、上記の送信状況では、各ステーションはさらに非競合方法で送信を行うトラフィックのデータを送信できる。
【０１６６】
ステーションがアップリンクデータ伝送を行い、ＡＰがステーションの送信したアップリンクデータを受信し、パリティ及び復調が成功的に完了した場合に、対応するＡＰ側のアップリンクＡＣキューの競合ウィンドウを初期値ＣＷｍｉｎにリセットする。
【０１６７】
ＡＰがＳＴＡ１〜ＳＴＡ４の送信したデータを受信し、受信されたデータパケット数の状況に基づいて、対応するアップリンクＡＣ及びアップリンク非競合方法で送信するトラフィックのバッファキュー長パラーメータを更新する。ＳＴＡ１〜ＳＴＡ４がアップリンクデータに現在の自分の１つ又は複数のアクセスカテゴリバッファキュー長、及び非競合方法で送信するトラフィックのバッファキュー長パラーメータを携帯している場合に、ＡＰは、ステーションの提供した情報に基づいて、ＡＰ側に対応するアップリンクＡＣのバッファキュー長パラーメータを更新する。
【０１６８】
実施例９
ＡＰがトリガフレーム又はトリガ情報フィールドを携帯するフレームを送信して、ＳＴＡ１〜ＳＴＡ４がアップリンクマルチユーザ伝送を行うようにトリガし、ＡＰがトリガフレーム又はトリガ情報フィールドを携帯する無線フレームにおいてＳＴＡ１〜ＳＴＡ４がＡＣ−ＶＩのデータを送信するように指示した場合に、上記のステーションはＡＣ−ＶＩのデータを送信し、又は、ＡＣ−ＶＩ及び優先度がＡＣ−ＶＩより高いＡＣ、即ちＡＣ−ＶＯのデータを送信できる。且つ、上記の２つの送信状況では、ステーションは、さらに、少なくとも非競合方法で送信を行うトラフィックのデータを送信すべきである（このキューに伝送するデータがない場合には、送信しなくてもよい）。
【０１６９】
ＡＰは、さらに、ＳＴＡ１がＡＣ−ＶＯを送信し、ＳＴＡ２がＡＣ−ＢＥを送信し、ＳＴＡ３及びＳＴＡ４がＡＣ−ＶＩを送信するように、各ＳＴＡが送信するデータのＡＣキューをそれぞれ指示できる。すると、トリガフレームを受信した後に、ＳＴＡ１がＡＣ−ＶＯキューのデータを送信し、ＳＴＡ２及びＳＴＡ３がＡＣ−ＢＥキューのデータ又は優先度がＡＣ−ＢＥより高いデータを送信し、ＳＴＡ４がＡＣ−ＶＩキューのデータ、又は優先度がＡＣ−ＶＩより高いデータを送信する。且つ、上記の送信状況では、各ステーションは少なくとも非競合方法で送信を行うトラフィックのデータを送信する。
【０１７０】
ステーションがアップリンクデータ伝送を行い、ＡＰがステーションの送信したアップリンクデータを受信し、パリティ及び復調が成功的に完了した場合に、対応するＡＰ側のアップリンクＡＣキューの競合ウィンドウを初期値ＣＷｍｉｎにリセットする。
【０１７１】
ＡＰがＳＴＡ１〜ＳＴＡ４の送信したデータを受信し、受信されたデータパケット数の状況に基づいて、対応するアップリンクＡＣ及びアップリンク非競合方法で送信するトラフィックのバッファキュー長パラーメータを更新する。ＳＴＡ１〜ＳＴＡ４がアップリンクデータに現在の自分の１つ又は複数のアクセスカテゴリバッファキュー長、及び非競合方法で送信するトラフィックのバッファキュー長パラーメータを携帯している場合に、ＡＰは、ステーションの提供した情報に基づいて、ＡＰ側に対応するアップリンクＡＣのバッファキュー長パラーメータを更新する。
【０１７２】
実施例１０
ＡＰがトリガフレーム又はトリガ情報フィールドを携帯するフレームを送信して、ＳＴＡ１〜ＳＴＡ４がアップリンクマルチユーザ伝送を行うようにトリガし、ＡＰがトリガフレーム又はトリガ情報フィールドを携帯する無線フレームにおいてＳＴＡ１〜ＳＴＡ４がＡＣ−ＶＩのデータを送信するように指示した場合に、上記のステーションは優先的にＡＣ−ＶＩのデータを送信し、ＡＣ−ＶＩキューバッファのデータを全部ＭＡＣ層プロトコルデータユニットにパケット化した後、まだ、ＡＰの指定したアップリンク伝送するデータパケットのパケット長に達していない場合に、ステーションは他のＡＣキューのデータを現在のＭＡＣ層プロトコルデータユニットにパケット化し続けることができ、又は、非競合方法で送信を行うトラフィックのデータを現在のＭＡＣ層プロトコルデータユニットにパケット化することができる。
【０１７３】
ＡＰは、さらに、ＳＴＡ１がＡＣ−ＶＯを送信し、ＳＴＡ２がＡＣ−ＢＥを送信し、ＳＴＡ３及びＳＴＡ４がＡＣ−ＶＩを送信するように、各ＳＴＡが送信するデータのＡＣキューをそれぞれ指示できる。すると、トリガフレームを受信した後に、ＳＴＡ１は優先的にＡＣ−ＶＯキューのデータを送信し、ＳＴＡ２及びＳＴＡ３は優先的にＡＣ−ＢＥキューのデータを送信し、ＳＴＡ４は優先的にＡＣ−ＶＩキューのデータを送信する。優先的にＡＣキューバッファのデータを全部ＭＡＣ層プロトコルデータユニットにパケット化した後、まだ、ＡＰの指定したアップリンク伝送するデータパケットのパケット長に達していない場合に、ステーションは他のＡＣキューのデータを現在のＭＡＣ層プロトコルデータユニットにパケット化し続けることができ、又は、非競合方法で送信を行うトラフィックのデータを現在のＭＡＣ層プロトコルデータユニットにパケット化することができる。
【０１７４】
ステーションがアップリンクデータ伝送を行い、ＡＰがステーションの送信したアップリンクデータを受信し、パリティ及び復調が成功的に完了した場合に、対応するＡＰ側のアップリンクＡＣキューの競合ウィンドウを初期値ＣＷｍｉｎにリセットする。
【０１７５】
ＡＰがＳＴＡ１〜ＳＴＡ４の送信したデータを受信し、受信されたデータパケット数の状況に基づいて、対応するアップリンクＡＣ及びアップリンク非競合方法で送信するトラフィックのバッファキュー長パラーメータを更新する。ＳＴＡ１〜ＳＴＡ４がアップリンクデータに現在の自分の１つ又は複数のアクセスカテゴリバッファキュー長、及び非競合方法で送信するトラフィックのバッファキュー長パラーメータを携帯している場合に、ＡＰは、ステーションの提供した情報に基づいて、ＡＰ側に対応するアップリンクＡＣのバッファキュー長パラーメータを更新する。
【０１７６】
以上のように、本発明によれば、ＡＰによりトリガされるアップリンクマルチユーザ伝送を行うときに、ステーション側の競合パラーメータがデータ送信状態に応じて即時に調整されるようにさせ、チャネルのビジー／フリー状態を反映でき、また、ステーション側及びＡＰ側のステーションの同一のキューの競合パラーメータが同期を保持するようにさせ、ネットワーク全体のステーション間の競合に対して良好な公平性を提供する。
【０１７７】
別の実施例では、上記の実施例及び好ましい実施形態に記載の技術手段を実行するためのソフトウェアをさらに提供する。
【０１７８】
別の実施例では、上記のソフトウェアが記憶される記録媒体をさらに提供し、この記録媒体は、光ディスク、フレキシブルディスク、ハードディスク、書き込み消去可能なメモリ等を含むがこれらに限定されない。
【０１７９】
また、当業者にとっては、上記の本発明の各モジュール又は各ステップが、汎用の計算装置により実現されることができ、それらは単一の計算装置に集中されてもよく、又は複数の計算装置により構成されたネットワークに分散されてもよく、選択的に、それらは計算装置の実行可能なプログラムコードにより実現されることができ、これによって、それらを記憶装置の中に記憶させて計算装置により実行されることができ、また、場合によっては、こちらの手順と異なる手順で示した又は説明されたステップを実行し、又はそれらをそれぞれの集積回路モジュールに製造し、又はそれらのうちの複数のモジュール又はステップを単一の集積回路モジュールに製造して実現されることができることは明らかなことである。このように、本発明はいずれかの特定のハードウェア及びソフトウェアの組み合わせに限定されない。
【０１８０】
以上は本発明の好ましい実施例にすぎず、本発明を限定するものではなく、当業者にとっては、本発明は様々な変更及び変化を有してもよい。本発明の精神及び原則を逸脱しない範囲内でのいずれの変更、同等の代替、変形等は全て本発明の範囲に含まれる。
【産業上の利用可能性】
【０１８１】
以上のように、本発明の実施例に提供された競合伝送方法及び装置によれば、従来技術において競合方法でトリガフレームを送信した後に、アクセス局側及び非アクセス局側の競合パラーメータをどのように処理すべきであるかの問題を解決し、アクセス局側及び非アクセス局側のステーションの同一のキューの競合パラーメータが同期を保持するように確保するとともに、チャネルのビジー／フリー状態を示す。
【図１】
0006556268.tif 000002
【図２】
0006556268.tif 000003
【図３】
0006556268.tif 000004
【図４】
0006556268.tif 000005
【図５】
0006556268.tif 000006
【図６】
0006556268.tif 000007
【図７】
0006556268.tif 000008
【図８】
0006556268.tif 000009
【図９】
0006556268.tif 000010
【図１０】
0006556268.tif 000011
【図１１】
0006556268.tif 000012
【図１２】
0006556268.tif 000013
【図１３】
0006556268.tif 000014
【図１４】
0006556268.tif 000015